(57)【要約】  本発明の実施例は、リソース割り当て方法及び装置を提供し、このリソース割り当て方法は、第１の機器が、第２の機器が送信した第１のリソース指示情報を受信するステップと、前記第１の機器が前記第１のリソース指示情報に基づいて前記第１の機器がカバーする少なくとも１つの第２の領域のリソースを設定するステップと、を含み、前記第１のリソース指示情報は、前記第２の機器がカバーする少なくとも１つの第１の領域が占有するリソースを指示するためのものであり、データ通信品質を向上できる。
2019530994.tif 000002
【特許請求の範囲】
【請求項１】
第１の機器が、第２の機器が送信した第１のリソース指示情報を受信するステップと、
前記第１の機器が前記第１のリソース指示情報に基づいて前記第１の機器がカバーする少なくとも１つの第２の領域のリソースを設定するステップと、を含み、
前記第１のリソース指示情報は、前記第２の機器がカバーする少なくとも１つの第１の領域が占有するリソースを指示するためのものである
ことを特徴とするリソース割り当て方法。
【請求項２】
前記少なくとも１つの第１の領域と前記少なくとも１つの第２の領域とは隣接している
ことを特徴とする請求項１に記載のリソース割り当て方法。
【請求項３】
前記第１の機器が前記第１のリソース指示情報に基づいて前記第１の機器がカバーする少なくとも１つの第２の領域のリソースを設定した後、
前記第１の機器が前記第２の機器に第２のリソース指示情報を送信するステップをさらに含み、
前記第２のリソース指示情報は、前記少なくとも１つの第２の領域が占有するリソースを指示するためのものである
ことを特徴とする請求項１又は２に記載のリソース割り当て方法。
【請求項４】
前記第１の機器が前記第１のリソース指示情報に基づいて前記第１の機器がカバーする少なくとも１つの第２の領域のリソースを設定するステップは、
前記第１の機器が第１のリソース指示情報に基づき、前記少なくとも１つの第２の領域と前記少なくとも１つの第１の領域とが同じリソースを占有するように設定するステップ、又は、
前記第１の機器が前記第１のリソース指示情報に基づき、前記少なくとも１つの第２の領域のリソースと前記少なくとも１つの第１の領域における隣接する領域のリソースが直交するように設定するステップ、を含む
ことを特徴とする請求項１乃至３のいずれか１項に記載のリソース割り当て方法。
【請求項５】
前記第１の機器が前記第１のリソース指示情報に基づいて前記第１の機器がカバーする少なくとも１つの第２の領域のリソースを設定するステップは、
前記第１の機器が前記第１のリソース指示情報に基づいて前記少なくとも１つの第２の領域における隣接する領域のリソースが直交するように設定するステップを含む
ことを特徴とする請求項１乃至４のいずれか１項に記載のリソース割り当て方法。
【請求項６】
前記第１の機器が、前記第２の機器が送信した第１のリソース指示情報を受信する前に、
前記第１の機器が前記第２の機器にリソース要求メッセージを送信するステップをさらに含み、
前記リソース要求メッセージは、前記少なくとも１つの第１の領域が占有するリソースを要求するために使用され、
ここで、前記第１の機器が、前記第２の機器が送信した第１のリソース指示情報を受信するステップは、
前記第１の機器が、前記第２の機器が前記リソース要求メッセージに基づいて送信した前記第１のリソース指示情報を受信するステップを含む
ことを特徴とする請求項１乃至５のいずれか１項に記載のリソース割り当て方法。
【請求項７】
前記リソース要求メッセージには、前記第１のリソース指示情報の送信方式が含まれ、前記送信方式は、周期的送信方式又は非周期的送信方式を含む
ことを特徴とする請求項６に記載のリソース割り当て方法。
【請求項８】
前記第１の機器は車両インターネットにおける機器であり、及び／又は、前記第２の機器は車両インターネットにおける機器である
ことを特徴とする請求項１乃至７のいずれか１項に記載のリソース割り当て方法。
【請求項９】
第１の機器が第１のリソース指示情報に基づいて前記第１の機器がカバーする少なくとも１つの第２の領域のリソースを設定するように、第２の機器が前記第１の機器に前記第１のリソース指示情報を送信するステップを含み、
前記第１のリソース指示情報は、前記第２の機器がカバーする少なくとも１つの第１の領域が占有するリソースを指示するためのものである
ことを特徴とするリソース割り当て方法。
【請求項１０】
前記少なくとも１つの第１の領域と前記少なくとも１つの第２の領域とは隣接している
ことを特徴とする請求項９に記載のリソース割り当て方法。
【請求項１１】
前記第２の機器が第１の機器に第１のリソース指示情報を送信した後、
前記第２の機器が、前記第１の機器が送信した第２のリソース指示情報を受信するステップをさらに含み、
前記第２のリソース指示情報は、前記少なくとも１つの第２の領域が占有するリソースを指示するためのものである
ことを特徴とする請求項９又は１０に記載のリソース割り当て方法。
【請求項１２】
前記第２の機器が第１の機器に第１のリソース指示情報を送信する前に、
前記第２の機器が、前記第１の機器が送信したリソース要求メッセージを受信するステップをさらに含み、
前記リソース要求メッセージは、前記少なくとも１つの第１の領域が占有するリソースを要求するために使用され、
ここで、前記第２の機器が第１の機器に第１のリソース指示情報を送信するステップは、
前記第２の機器が前記リソース要求メッセージに基づいて前記第１の機器に前記第１のリソース指示情報を送信するステップを含む
ことを特徴とする請求項９乃至１１のいずれか１項に記載のリソース割り当て方法。
【請求項１３】
前記リソース要求メッセージには、前記第１のリソース指示情報の送信方式が含まれ、前記送信方式は、周期的送信方式又は非周期的送信方式を含む
ことを特徴とする請求項１２に記載のリソース割り当て方法。
【請求項１４】
前記第１の機器は車両インターネットにおける機器であり、及び／又は、前記第２の機器は車両インターネットにおける機器である
ことを特徴とする請求項９乃至１３のいずれか１項に記載のリソース割り当て方法。
【請求項１５】
リソース割り当て装置であって、
第２の機器が送信した第１のリソース指示情報を受信するために使用される受信モジュールと、
前記第１のリソース指示情報に基づいて前記リソース割り当て装置がカバーする少なくとも１つの第２の領域のリソースを設定するために使用される設定モジュールと、を備え、
前記第１のリソース指示情報は、前記第２の機器がカバーする少なくとも１つの第１の領域が占有するリソースを指示するためのものである
ことを特徴とするリソース割り当て装置。
【請求項１６】
前記少なくとも１つの第１の領域と前記少なくとも１つの第２の領域とは隣接している
ことを特徴とする請求項１５に記載のリソース割り当て装置。
【請求項１７】
前記第１のリソース指示情報に基づいて前記リソース割り当て装置がカバーする少なくとも１つの第２の領域のリソースを設定した後、前記第２の機器に第２のリソース指示情報を送信するために使用される第１の送信モジュールをさらに備え、
前記第２のリソース指示情報は、前記少なくとも１つの第２の領域が占有するリソースを指示するためのものである
ことを特徴とする請求項１５又は１６に記載のリソース割り当て装置。
【請求項１８】
前記設定モジュールは、具体的に、
第１のリソース指示情報に基づき、前記少なくとも１つの第２の領域と前記少なくとも１つの第１の領域とが同じリソースを占有するように設定するために使用され、又は、
前記第１のリソース指示情報に基づき、前記少なくとも１つの第２の領域のリソースと前記少なくとも１つの第１の領域における隣接する領域のリソースが直交するように設定するために使用される
ことを特徴とする請求項１５乃至１７のいずれか１項に記載のリソース割り当て装置。
【請求項１９】
前記設定モジュールは、具体的に、
前記第１のリソース指示情報に基づいて前記少なくとも１つの第２の領域における隣接する領域のリソースが直交するように設定するために使用される
ことを特徴とする請求項１５乃至１８のいずれか１項に記載のリソース割り当て装置。
【請求項２０】
前記第２の機器が送信した第１のリソース指示情報を受信する前に、前記第２の機器にリソース要求メッセージを送信するために使用される第２の送信モジュールをさらに備え、
前記リソース要求メッセージは、前記少なくとも１つの第１の領域が占有するリソースを要求するために使用され、
前記受信モジュールは、具体的に、前記第２の機器が前記リソース要求メッセージに基づいて送信した前記第１のリソース指示情報を受信するために使用される
ことを特徴とする請求項１５乃至１９のいずれか１項に記載のリソース割り当て装置。
【請求項２１】
前記リソース要求メッセージには、前記第１のリソース指示情報の送信方式が含まれ、前記送信方式は、周期的送信方式又は非周期的送信方式を含む
ことを特徴とする請求項２０に記載のリソース割り当て装置。
【請求項２２】
前記リソース割り当て装置は車両インターネットにおける機器であり、及び／又は、前記第２の機器は車両インターネットにおける機器である
ことを特徴とする請求項１５乃至２１のいずれか１項に記載のリソース割り当て装置。
【請求項２３】
リソース割り当て装置であって、
第１の機器が第１のリソース指示情報に基づいて前記第１の機器がカバーする少なくとも１つの第２の領域のリソースを設定するように、前記第１の機器に前記第１のリソース指示情報を送信するために使用される送信モジュールを備え、
前記第１のリソース指示情報は、前記リソース割り当て装置がカバーする少なくとも１つの第１の領域が占有するリソースを指示するためのものである
ことを特徴とするリソース割り当て装置。
【請求項２４】
前記少なくとも１つの第１の領域と前記少なくとも１つの第２の領域とは隣接している
ことを特徴とする請求項２３に記載のリソース割り当て装置。
【請求項２５】
第１の機器に第１のリソース指示情報を送信した後、前記第１の機器が送信した第２のリソース指示情報を受信するために使用される第１の受信モジュールをさらに備え、
前記第２のリソース指示情報は、前記少なくとも１つの第２の領域が占有するリソースを指示するためのものである
ことを特徴とする請求項２３又は２４に記載のリソース割り当て装置。
【請求項２６】
第１の機器に第１のリソース指示情報を送信する前に、前記第１の機器が送信したリソース要求メッセージを受信するために使用される第２の受信モジュールをさらに備え、
前記リソース要求メッセージは、前記少なくとも１つの第１の領域が占有するリソースを要求するために使用され、
前記送信モジュールは、具体的に、前記リソース要求メッセージに基づいて前記第１の機器に前記第１のリソース指示情報を送信するために使用される
ことを特徴とする請求項２３乃至２５のいずれか１項に記載のリソース割り当て装置。
【請求項２７】
前記リソース要求メッセージには、前記第１のリソース指示情報の送信方式が含まれ、前記送信方式は、周期的送信方式又は非周期的送信方式を含む
ことを特徴とする請求項２６に記載のリソース割り当て装置。
【請求項２８】
前記第１の機器は車両インターネットにおける機器であり、及び／又は、前記リソース割り当て装置は車両インターネットにおける機器である
ことを特徴とする請求項２３乃至２７のいずれか１項に記載のリソース割り当て装置。
【発明の詳細な説明】
【技術分野】
【０００１】
本発明は、通信分野に関し、特に通信分野におけるリソース割り当て方法及び装置に関する。
【背景技術】
【０００２】
第３世代パートナーシッププロジェクト（ｔｈｅ  ３ｒｄ  Ｇｅｎｅｒａｔｉｏｎ  Ｐａｒｔｎｅｒｓｈｉｐ  Ｐｒｏｊｅｃｔ，３ＧＰＰ）プロトコルでは、機器と機器（Ｄｅｖｉｃｅ  ｔｏ  Ｄｅｖｉｃｅ，Ｄ２Ｄ）の通信が標準化されている。ここで、Ｄ２Ｄ通信のリソース割り当ては、下記の２つの方式により実現されることができ、第１の方式では、ネットワーク機器によりＤ２Ｄ通信の伝送リソースを割り当て、この方式は、セルラネットワークがカバーされている状況に適用され、第２の方式では、端末機器が自律的に伝送リソースを選択し、例えば、端末機器は予め規定した複数のリソース割り当てパターンから１つのリソース割り当てパターンをランダムに選択し、選択されたこのリソース割り当てパターンに基づき、Ｄ２Ｄ通信時に採用する伝送リソースを確定でき、この方式は、主にセルラネットワークがカバーされていない状況に適用される。
【０００３】
通信技術のさらなる発展に伴い、車両と車両（Ｖｅｈｉｃｌｅ  ｔｏ  Ｖｅｈｉｃｌｅ，Ｖ２Ｖ）の技術及び車両と機器（Ｖｅｈｉｃｌｅ  ｔｏ  Ｘ，Ｖ２Ｘ）の技術が研究のホットスポットとなっている。ここで、Ｖ２Ｘにおいて、Ｘは、無線受信及び送信能力のあるいずれかの機器を広く指してもよく、例えば、低速移動無線装置、高速移動車載機器、又は無線送受信能力のあるネットワーク制御ノード等があるがこれに限定されない。しかしながら、車載機器の高速移動の特性のため、従来技術の上記のリソース割り当て方式はＶ２Ｖ技術及びＶ２Ｘ技術に適用されず、したがって、Ｖ２Ｖ技術及びＶ２Ｘ技術において、領域に基づくリソース割り当て方式が提案され、ネットワーク機器がカバーするセルを地理的に幾つかの領域に区分し、各領域に対してリソース又はリソースプールを割り当てることにより、端末機器が隣接する領域のリソース又はリソースプールを使用して通信する際に干渉を比較的小さく確保し、隣接する比較的遠いリソースプールはリソース多重化を行うことができるが、端末機器が隣接する２つのネットワーク機器がカバーする隣接する領域の間のリソース又はリソースプールを使用して通信する際に、一定の干渉を引き起こし、さらに通信品質が低下される。
【発明の概要】
【発明が解決しようとする課題】
【０００４】
本発明の実施例は、データ通信品質を向上できるリソース割り当て方法及び装置を提供する。
【課題を解決するための手段】
【０００５】
第１の態様によれば、リソース割り当て方法が提供され、この方法は、第１の機器が、第２の機器が送信した第１のリソース指示情報を受信するステップと、前記第１の機器が前記第１のリソース指示情報に基づいて前記第１の機器がカバーする少なくとも１つの第２の領域のリソースを設定するステップと、を含み、前記第１のリソース指示情報は、前記第２の機器がカバーする少なくとも１つの第１の領域が占有するリソースを指示するためのものである。
【０００６】
これにより、第１の機器により設定された少なくとも１つの第２の領域のリソースと第２の機器がカバーする少なくとも１つの第１の領域のリソースとの干渉を比較的小さく確保でき、異なる端末機器が隣接する領域でデータを伝送する際に、隣接する領域間の干渉を低減し、データ通信品質を向上させることができる。
【０００７】
選択的に、第１の機器は第１のリソース指示情報に基づいて自身がカバーする領域のリソースを設定でき、例えば、少なくとも１つの第２の領域のリソースと少なくとも１つの第１の領域のリソースとが直交するように設定でき、これにより、異なる端末機器が第１の機器がカバーする異なる領域でデータを伝送する際に、干渉がなく、さらにデータ通信品質を向上できる。
【０００８】
さらに、第１の機器が、第２の機器が送信した第１のリソース指示情報を取得した後、第１の機器は第２の機器のリソース状況に基づいて自身が存在する領域のリソースに対して設定し、第２の機器のネットワーク負荷に基づいて自身のリソースを設定でき、これにより、リソース利用率を向上できる。
【０００９】
選択的に、少なくとも１つの第１の領域は、第２の機器がカバーする全ての領域又は一部の領域であってもよい。少なくとも１つの第２の領域は、第１の機器がカバーする全ての領域又は一部の領域であってもよい。少なくとも１つの第２の領域は、第１の機器がカバーする全ての領域又は一部の領域であってもよい。
【００１０】
第１の態様の第１の可能な実現形態では、前記少なくとも１つの第１の領域と前記少なくとも１つの第２の領域とは隣接している。
【００１１】
具体的に、この少なくとも１つの第１の領域は、第１の機器が注目している領域であってもよく、例えば、この第１の機器は、少なくとも１つの第２の領域のリソースを設定する必要があり、この少なくとも１つの第２の領域と隣接する第２の機器がカバーする領域を取得する必要があり、第１の機器は、第２の機器がカバーする隣接する領域のリソースに基づいて自身のリソースを設定し、さらに、第１の機器は、少なくとも１つの第２の領域と少なくとも１つの第１の領域とのリソースが直交するように設定でき、これにより、２つの機器の隣接領域のリソースの直交性を確保でき、２つの異なる端末機器がこの２つの隣接する領域で通信する際に、干渉を回避し、通信品質を向上できる。
【００１２】
第１の態様の上記の可能な実現形態に関連して、第１の態様の第２の可能な実現形態では、前記第１の機器が前記第１のリソース指示情報に基づいて前記第１の機器がカバーする少なくとも１つの第２の領域のリソースを設定した後、前記方法は、前記第１の機器が前記第２の機器に第２のリソース指示情報を送信するステップをさらに含み、前記第２のリソース指示情報は、前記少なくとも１つの第２の領域が占有するリソースを指示するためのものである。
【００１３】
第２の機器は、第２の機器がカバーする領域のリソースを設定する必要があるとき、第１の機器がカバーする領域のリソースに基づいて設定することができ、盲目的に設定することによるリソース衝突又はリソースアイドルの状況を回避し、リソース利用率を向上できる。
【００１４】
第１の態様の上記の可能な実現形態に関連して、第１の態様の第３の可能な実現形態では、前記第１の機器が前記第１のリソース指示情報に基づいて前記第１の機器がカバーする少なくとも１つの第２の領域のリソースを設定するステップは、前記第１の機器が第１のリソース指示情報に基づき、前記少なくとも１つの第２の領域と前記少なくとも１つの第１の領域とが同じリソースを占有するように設定するステップ、又は、前記第１の機器が前記第１のリソース指示情報に基づき、前記少なくとも１つの第２の領域のリソースと前記少なくとも１つの第１の領域における隣接する領域のリソースが直交するように設定するステップ、を含む。
【００１５】
第１の態様の上記の可能な実現形態に関連して、第１の態様の第４の実現形態では、前記第１の機器が前記第１のリソース指示情報に基づいて前記第１の機器がカバーする少なくとも１つの第２の領域のリソースを設定するステップは、前記第１の機器が前記第１のリソース指示情報に基づいて前記少なくとも１つの第２の領域における隣接する領域のリソースが直交するように設定するステップを含む。
【００１６】
第１の態様の上記の可能な実現形態に関連して、第１の態様の第５の実現形態では、前記第１の機器が、前記第２の機器が送信した第１のリソース指示情報を受信する前に、前記方法は、前記第１の機器が前記第２の機器にリソース要求メッセージを送信するステップをさらに含み、前記リソース要求メッセージは、前記少なくとも１つの第１の領域が占有するリソースを要求するために使用され、ここで、前記第１の機器が、前記第２の機器が送信した第１のリソース指示情報を受信するステップは、前記第１の機器が、前記第２の機器が前記リソース要求メッセージに基づいて送信した前記第１のリソース指示情報を受信するステップを含む。
【００１７】
第１の態様の上記の可能な実現形態に関連して、第１の態様の第６の実現形態では、前記リソース要求メッセージには、前記第１のリソース指示情報の送信方式が含まれ、前記送信方式は、周期的送信方式又は非周期的送信方式を含む。
【００１８】
即ち、このリソース要求メッセージには、第１のリソース指示情報の送信方式が設置され、例えば、この第１の指示情報の送信方式は、周期的送信又は非周期的送信であってもよく、もちろん、周期的と非周期的の交互式送信であってもよい。
【００１９】
第１の態様の上記の可能な実現形態に関連して、第１の態様の第７の実現形態では、前記第１の機器は車両インターネットにおける機器であり、及び／又は、前記第２の機器は車両インターネットにおける機器である。
【００２０】
車両インターネットに領域の概念を導入して、地理的位置に基づいて異なる領域を区画し、異なる領域を領域によって識別し、各領域は、一定のリソースに対応し、具体的に、１つ又は複数のリソースプールであってもよく、車両インターネットにおける端末機器の移動速度は比較的速く、領域の区画によって、同一のネットワークで隣接する領域のリソースが直交し干渉しないことを確保し、また、第１の機器と第２の機器のインタラクションによって、第１の機器と第２の機器との隣接する領域のリソース直交を確保できる。
【００２１】
選択的に、この第１の機器及び第２の機器はネットワーク機器であってもよいが、リソース設定能力を有するいずれかの機器であってもよい。
【００２２】
選択的に、１つの領域が複数のリソースプールに対応する場合、異なるトラヒックが異なるリソースプールを使用してもよく、例えば、端末機器がこの領域まで移動した場合、Ａトラヒック通信時にこの領域のリソースプール１を採用し、Ｂトラヒック通信時にこの領域のリソースプール２を採用し、具体的に、ネットワークにより設定され、又はプロトコルにより規定されてもよい。
【００２３】
第２の態様によれば、リソース割り当て方法が提供され、この方法は、第１の機器が第１のリソース指示情報に基づいて前記第１の機器がカバーする少なくとも１つの第２の領域のリソースを設定するように、第２の機器が前記第１の機器に前記第１のリソース指示情報を送信するステップを含み、前記第１のリソース指示情報は、前記第２の機器がカバーする少なくとも１つの第１の領域が占有するリソースを指示するためのものである。
【００２４】
第２の機器が第１の機器に第１のリソース指示情報を送信するステップは、周期的送信であってもよいが、非周期的送信であってもよく、又は、周期的と非周期的の交互式送信であってもよく、具体的に、どのような方式により送信するかは、ネットワークにより設定され、又はプロトコルにより規定されてもよく、本発明の実施例はこれに限定されない。
【００２５】
第２の態様の第１の可能な実現形態では、前記少なくとも１つの第１の領域と前記少なくとも１つの第２の領域とは隣接している。
【００２６】
第２の態様の上記の可能な実現形態に関連して、第２の態様の第２の実現形態では、前記第２の機器が第１の機器に第１のリソース指示情報を送信した後、前記方法は、前記第２の機器が、前記第１の機器が送信した第２のリソース指示情報を受信するステップをさらに含み、前記第２のリソース指示情報は、前記少なくとも１つの第２の領域が占有するリソースを指示するためのものである。
【００２７】
第２の態様の上記の可能な実現形態に関連して、第２の態様の第３の実現形態では、前記第２の機器が第１の機器に第１のリソース指示情報を送信する前に、前記方法は、前記第２の機器が、前記第１の機器が送信したリソース要求メッセージを受信するステップをさらに含み、前記リソース要求メッセージは、前記少なくとも１つの第１の領域が占有するリソースを要求するために使用され、ここで、前記第２の機器が第１の機器に第１のリソース指示情報を送信するステップは、前記第２の機器が前記リソース要求メッセージに基づいて前記第１の機器に前記第１のリソース指示情報を送信するステップを含む。
【００２８】
第２の態様の上記の可能な実現形態に関連して、第２の態様の第４の実現形態では、前記リソース要求メッセージには、前記第１のリソース指示情報の送信方式が含まれ、前記送信方式は、周期的送信方式又は非周期的送信方式を含む。
【００２９】
第２の態様の上記の可能な実現形態に関連して、第２の態様の第５の実現形態では、前記第１の機器は車両インターネットにおける機器であり、及び／又は、前記第２の機器は車両インターネットにおける機器である。
【００３０】
第３の態様によれば、上記の第１の態様又は第１の態様の任意の可能な実現形態における方法を実行するためのリソース割り当て装置が提供される。具体的に、この装置は、上記の第１の態様又は第１の態様の任意の可能な実現形態における方法を実行するためのモジュールを備える。
【００３１】
第４の態様によれば、上記の第２の態様又は第２の態様の任意の可能な実現形態における方法を実行するためのリソース割り当て装置が提供される。具体的に、この装置は、上記の第２の態様又は第２の態様の任意の可能な実現形態における方法を実行するためのモジュールを備える。
【００３２】
第５の態様によれば、リソース割り当て装置が提供され、この機器は、受信機、送信機、メモリ、プロセッサー及びバスシステムを備える。ここで、この受信機、この送信機、このメモリ及びこのプロセッサーはこのバスシステムを介して接続され、このメモリは命令を記憶するために使用され、このプロセッサーはこのメモリに記憶された命令を実行することにより、受信機が信号を受信し、送信機が信号を送信するように制御し、また、このプロセッサーがこのメモリに記憶された命令を実行するとき、この実行によりこのプロセッサーが第１の態様又は第１の態様の任意の可能な実現形態における方法を実行する。
【００３３】
第６の態様によれば、リソース割り当て装置が提供され、この機器は、受信機、送信機、メモリ、プロセッサー及びバスシステムを備える。ここで、この受信機、この送信機、このメモリ及びこのプロセッサーはこのバスシステムを介して接続され、このメモリは命令を記憶するために使用され、このプロセッサーはこのメモリに記憶された命令を実行することにより、受信機が信号を受信し、送信機が信号を送信するように制御し、また、このプロセッサーがこのメモリに記憶された命令を実行するとき、この実行によりこのプロセッサーが第２の態様又は第２の態様の任意の可能な実現形態における方法を実行する。
【００３４】
第７の態様によれば、リソース割り当てシステムが提供され、前記システムは、第５の態様に記載のリソース割り当て装置及び第６の態様に記載のリソース割り当て装置を含む。
【００３５】
第８の態様によれば、コンピュータプログラムを記憶するためのコンピュータ可読媒体が提供され、このコンピュータプログラムには、第１の態様又は第１の態様の任意の可能な実現形態における方法を実行するための命令が含まれる。
【００３６】
第９の態様によれば、コンピュータプログラムを記憶するためのコンピュータ可読媒体が提供され、このコンピュータプログラムには、第２の態様又は第２の態様の任意の可能な実現形態における方法を実行するための命令が含まれる。
【００３７】
以下、本発明の実施例に係る技術手段をさらに明瞭に説明するために、実施例又は従来技術の記載に使用する必要がある図面に対して簡単に紹介する。なお、以下の記載における図面はただ本発明の一部の実施例に過ぎず、当業者の場合、創造的な労働を付与しない前提で、これらの図面によって他の図面を得ることができる。
【図面の簡単な説明】
【００３８】
【図１】本発明の実施例に適用される無線通信システムの模式図である。
【図２】本発明の実施例に係るリソース割り当て方法の模式図である。
【図３】本発明の実施例に係る他のリソース割り当て方法の模式図である。
【図４】本発明の実施例に係るリソース割り当て装置の概略ブロック図である。
【図５】本発明の実施例に係る他のリソース割り当て装置の概略ブロック図である
【図６】本発明の実施例に係るリソース割り当てシステムの概略ブロック図である。
【図７】本発明の実施例に係るリソース割り当て装置の概略ブロック図である。
【図８】本発明の実施例に係る他のリソース割り当て装置の概略ブロック図である。
【発明を実施するための形態】
【００３９】
以下は、本発明の実施例に係る図面を参考しながら、本発明の実施例に係る技術手段をより明確且つ完全に説明し、説明されている実施例が、本発明の実施例の一部に過ぎず、全てではないことは明らかである。本発明の実施例に基づいて、当業者が創造的な労働を付与しない前提で得られた他の実施例の全ては、本発明の保護範囲に属する。
【００４０】
本発明の実施例に係る技術手段は、グローバルモバイル通信（Ｇｌｏｂａｌ  Ｓｙｓｔｅｍ  ｏｆ  Ｍｏｂｉｌｅ  ｃｏｍｍｕｎｉｃａｔｉｏｎ、単に「ＧＳＭ」と称する）システム、符号分割多元接続（Ｃｏｄｅ  Ｄｉｖｉｓｉｏｎ  Ｍｕｌｔｉｐｌｅ  Ａｃｃｅｓｓ、単に「ＣＤＭＡ」と称する）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、単に「ＷＣＤＭＡ」と称する）システム、汎用パケット無線サービス（Ｇｅｎｅｒａｌ  Ｐａｃｋｅｔ  Ｒａｄｉｏ  Ｓｅｒｖｉｃｅ、単に「ＧＰＲＳ」と称する）、ロングタームエボリューション（Ｌｏｎｇ  Ｔｅｒｍ  Ｅｖｏｌｕｔｉｏｎ、単に「ＬＴＥ」と称する）システム、ＬＴＥ周波数分割複信（Ｆｒｅｑｕｅｎｃｙ  Ｄｉｖｉｓｉｏｎ  Ｄｕｐｌｅｘ、単に「ＦＤＤ」と称する）システム、ＬＴＥ時間分割複信（Ｔｉｍｅ  Ｄｉｖｉｓｉｏｎ  Ｄｕｐｌｅｘ、単に「ＴＤＤ」と称する）、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、単に「ＵＭＴＳ」と称する）又はグローバル相互接続マイクロ波アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、単に「ＷｉＭＡＸ」と称する）通信システム、及び未来の可能な通信システム等のような様々な通信システムに適用されることが理解されるべきである。
【００４１】
また、ネットワーク機器は端末機器と通信する機器であってもよいことが理解されるべきである。各ネットワーク機器は、特定の地理的領域のために通信カバーを提供し、このカバー領域内に位置する端末機器（例えばＵＥ）と通信を行うことができる。このネットワーク機器はＧＳＭ又はＣＤＭＡにおける基地局（Ｂａｓｅ  Ｔｒａｎｓｃｅｉｖｅｒ  Ｓｔａｔｉｏｎ、単に「ＢＴＳ」と称する）であってもよいが、ＷＣＤＭＡシステムにおける基地局（ＮｏｄｅＢ、単に「ＮＢ」と称する）であってもよく、また、ＬＴＥシステムにおける進化型基地局（Ｅｖｏｌｕｔｉｏｎａｌ  ＮｏｄｅＢ、単に「ｅＮＢ又はｅＮｏｄｅＢ」と称する）であってもよく、クラウド無線アクセスネットワーク（Ｃｌｏｕｄ  Ｒａｄｉｏ  Ａｃｃｅｓｓ  Ｎｅｔｗｏｒｋ、単に「ＣＲＡＮ」と称する）シナリオでのワイヤレスコントローラであってもよく、又はこのネットワーク機器は、中継局、アクセスポイント、車載機器、ウェアラブル機器、及び未来５Ｇネットワークにおけるネットワーク機器又は未来進化のＰＬＭＮネットワークにおけるネットワーク機器等であってもよい。
【００４２】
また、端末機器は移動的又は固定的なものであってもよいことが理解されるべきである。端末機器は、アクセス端末、ユーザ機器、ユーザユニット、ユーザ局、移動局、モバイルステーション、遠隔局、遠隔端末、移動機器、ユーザ端末、端末、無線通信機器、ユーザエージェント又はユーザ装置を指してもよい。アクセス端末は、携帯電話、コードレス電話、セッション確立プロトコル（Ｓｅｓｓｉｏｎ  Ｉｎｉｔｉａｔｉｏｎ  Ｐｒｏｔｏｃｏｌ，ＳＩＰ）電話、ワイヤレスローカルループ（Ｗｉｒｅｌｅｓｓ  Ｌｏｃａｌ  Ｌｏｏｐ，ＷＬＬ）局、パーソナルデジタルアシスタント（Ｐｅｒｓｏｎａｌ  Ｄｉｇｉｔａｌ  Ａｓｓｉｓｔａｎｔ，ＰＤＡ）、無線通信機能のあるハンドヘルド機器、計算機器又は無線モデムに接続する他の処理機器、車載機器、ウェアラブル機器、未来５Ｇネットワークにおける端末機器又は未来進化の公衆陸上移動体ネットワーク（Ｐｕｂｌｉｃ  Ｌａｎｄ  Ｍｏｂｉｌｅ  Ｎｅｔｗｏｒｋ，ＰＬＭＮ）における端末機器等であってもよい。
【００４３】
幾つかの実施例では、Ｄ２Ｄ通信は、車両と車両（Ｖｅｈｉｃｌｅ  ｔｏ  Ｖｅｈｉｃｌｅ、単に「Ｖ２Ｖ」と称する）の通信、又はＶ２Ｘ通信を指してもよい。Ｖ２Ｘ通信において、Ｘは、無線受信及び送信能力のあるいずれかの機器を広く指してもよく、例えば、低速移動無線装置、高速移動車載機器、又は無線送受信能力のあるネットワーク制御ノードであってもよいがこれに限定されない。
【００４４】
具体的に、端末機器は、セルラー通信モード又はＤ２Ｄ通信モードで通信を行うことができ、ここで、セルラー通信モードにおいて、端末機器はネットワーク機器との間のセルラーリンクを介して他の端末機器と通信し、Ｄ２Ｄ通信モードにおいて、２つの端末機器はＤ２Ｄリンクを介して直接に通信する。
【００４５】
端末機器は、Ｄ２Ｄ通信（例えばＶ２Ｖ通信又はＶ２Ｘ通信）を行う際に、伝送リソースを自律的に選択してもよいが、ネットワーク機器によりＤ２Ｄ通信時の伝送リソースが割り当てられてもよく、本発明の実施例ではこれについて限定をしない。
【００４６】
本発明の実施例は、主にＶ２Ｘ通信シナリオに応用されるが、他のいずれかのＤ２Ｄ通信シナリオに応用されてもよく、本発明の実施例はこれについて限定をしないことが理解されるべきである。
【００４７】
図１は、本発明の実施例に適用される無線通信システム１００の模式図であり、この無線通信システム１００は、複数のネットワーク機器を含んでもよく、図１において、２つのネットワーク機器１１０及びネットワーク機器１２０のみを例として説明し、選択的に、各ネットワーク機器のカバー範囲内に他の数の端末機器が含まれてもよく、本発明の実施例はこれについて限定をしない。さらに、この無線通信システム１００は、また、移動管理エンティティ（Ｍｏｂｉｌｅ  Ｍａｎａｇｅｍｅｎｔ  Ｅｎｔｉｔｙ，ＭＭＥ）、サービスゲートウェイ（Ｓｅｒｖｉｎｇ  Ｇａｔｅｗａｙ，Ｓ−ＧＷ）、パケットデータネットワークゲートウェイ（Ｐａｃｋｅｔ  Ｄａｔａ  Ｎｅｔｗｏｒｋ  Ｇａｔｅｗａｙ，Ｐ−ＧＷ）等の他のネットワークエンティティを含んでもよいが、本発明の実施例はこれに限定されない。
【００４８】
ネットワーク機器１１０がカバーするセルは、領域１（Ｚｏｎｅ１）、領域２（Ｚｏｎｅ２）、領域３（Ｚｏｎｅ３）及び領域４（Ｚｏｎｅ４）に区画されることができる。ネットワーク機器１２０がカバーするセルは、領域５（Ｚｏｎｅ５）、領域６（Ｚｏｎｅ６）、領域７（Ｚｏｎｅ７）及び領域８（Ｚｏｎｅ８）に区画されることができる。上記の８つの領域のうちの各領域は一定のリソースに対応し、領域ＩＤ（Ｉｄｅｎｔｉｔｙ）のような相応な領域識別子を介して各領域を識別でき、各領域識別子はこの領域に対応するリソース識別子に対応する。例えば、各領域は１つ又は複数のリソースプールに対応し、端末機器がこの各領域まで移動した場合、端末機器は各領域に対応するリソースを利用して通信を行うことができる。ネットワーク機器１１０は、Ｚｏｎｅ１及びＺｏｎｅ２のリソースが直交し、Ｚｏｎｅ２及びＺｏｎｅ３のリソースが直交し、Ｚｏｎｅ３及びＺｏｎｅ４のリソースが直交するように設定できる。ネットワーク機器１２０は、Ｚｏｎｅ５及びＺｏｎｅ６のリソースが直交し、Ｚｏｎｅ６及びＺｏｎｅ７のリソースが直交し、Ｚｏｎｅ７及びＺｏｎｅ８のリソースが直交するように構成できる。これにより、異なる端末機器が隣接する領域の間で通信する際に干渉がないようにすることができる。しかしながら、Ｚｏｎｅ４に対応するリソースとＺｏｎｅ５に対応するリソースとの直交性を確保できず、さらに、２つの端末機器が同時にＺｏｎｅ４及びＺｏｎｅ５でデータを伝送する際に、干渉を引き起こし、さらに通信品質が低下され、本発明では、ネットワーク機器１１０及びネットワーク機器１２０の間のインタラクションシグナリングによりこの問題を解決でき、例えば、ネットワーク機器１１０が本発明の実施例に係る第１の機器であって、ネットワーク機器１２０が本発明の実施例に係る第２の機器であってもよい。
【００４９】
図２は、本発明の実施例に係るリソース割り当て方法２００を示す概略フローチャートである。図２において、リソース割り当て方法のステップ又は動作を示しているが、これらのステップ又は動作は単なる例示にすぎず、本発明の実施例において、また、他の動作又は図２の各動作の変形を実行でき、この方法２００は、下記のステップを含む。
【００５０】
Ｓ２１０：第１の機器が、第２の機器が送信した第１のリソース指示情報を受信し、前記第１のリソース指示情報は、前記第２の機器がカバーする少なくとも１つの第１の領域が占有するリソースを指示するためのものである。
【００５１】
Ｓ２２０：前記第１の機器が前記第１のリソース指示情報に基づいて前記第１の機器がカバーする少なくとも１つの第２の領域のリソースを設定する。
【００５２】
図３は、本発明の実施例に係るリソース割り当て方法３００を示す概略フローチャートである。図３において、リソース割り当て方法のステップ又は動作を示しているが、これらのステップ又は動作は単なる例示にすぎず、本発明の実施例において、また、他の動作又は図３の各動作の変形を実行でき、この方法３００は、下記のステップを含む。
【００５３】
Ｓ３１０：第１の機器が第１のリソース指示情報に基づいて前記第１の機器がカバーする少なくとも１つの第２の領域のリソースを設定するように、第２の機器が前記第１の機器に前記第１のリソース指示情報を送信し、前記第１のリソース指示情報は、前記第２の機器がカバーする少なくとも１つの第１の領域が占有するリソースを指示するためのものである。
【００５４】
具体的に、第２の機器が第１のリソース指示情報を第１の機器に送信した後、第１の機器は、この第１のリソース指示情報に基づいて自身がカバーする領域のリソースを設定でき、これにより、第１の機器により設定された少なくとも１つの第２の領域のリソースと第２の機器がカバーする少なくとも１つの第１の領域のリソースとの干渉を比較的小さく確保でき、異なる端末機器が隣接する領域でデータを伝送する際に、隣接する領域間の干渉を低減し、データ通信品質を向上させることができる。
【００５５】
例えば、第１の機器が図１におけるネットワーク機器１１０であって、第２の機器が図１におけるネットワーク機器１２０であってもよく、又は第１の機器が図１におけるネットワーク機器１２０であって、第２の機器が図１におけるネットワーク機器１２０であってもよい。もちろん、第１の機器及び第２の機器は他の機器であってもよい。
【００５６】
選択的に、第１の機器は第１のリソース指示情報に基づいて自身がカバーする領域のリソースを設定でき、例えば、少なくとも１つの第２の領域のリソースと少なくとも１つの第１の領域のリソースとが直交するように設定でき、これにより、異なる端末機器が第１の機器がカバーする異なる領域でデータを伝送する際に、干渉がなく、さらにデータ通信品質を向上できる。
【００５７】
さらに、第１の機器が、第２の機器が送信した第１のリソース指示情報を取得した後、第１の機器は第２の機器のリソース状況に基づいて自身が存在する領域のリソースに対して設定し、第２の機器のネットワーク負荷に基づいて自身のリソースを設定し、これにより、リソース利用率を向上できる。
【００５８】
また、第１の機器は複数の第２の機器が送信したリソース指示情報を受信でき、第１の機器は複数のネットワーク機器がカバーする領域におけるリソース使用状況に基づき、自身がカバーする領域のリソースを確定し、これにより、第１の機器がカバーする領域におけるリソースが周囲の全てのネットワーク機器のリソースと直交するようになる。
【００５９】
選択的に、少なくとも１つの第１の領域は、第２の機器がカバーする全ての領域又は一部の領域であってもよく、例えば、第２の機器が４つの領域をカバーすると、この少なくとも１つの第１の領域は１つの領域であってもよく、この領域は第１の機器と隣接する領域であり、又はこの少なくとも１つの第１の領域は２つの領域であってもよく、この２つの領域がいずれも第１の機器がカバーする領域と隣接してもよいが、１つの領域が第１の機器がカバーする領域と隣接し、他の領域が第１の機器がカバーする領域と隣接しなくてもよく、又はこの少なくとも１つの第２の領域は全部の４つの領域であってもよく、本発明の実施例はこれに限定されない。同様に、少なくとも１つの第２の領域は第１の機器がカバーする全ての領域又は一部の領域であってもよく、本発明の実施例はこれに限定されない。
【００６０】
第２の機器が第１の機器に第１のリソース指示情報を送信するステップは、周期的送信であってもよいが、非周期的送信であってもよく、又は、周期的と非周期的の交互式送信であってもよく、具体的に、どのような方式により送信するかは、ネットワークにより設定され、又はプロトコルにより規定されてもよく、本発明の実施例はこれに限定されないことが理解されるべきである。
【００６１】
一選択可能な実施例として、前記少なくとも１つの第１の領域と前記少なくとも１つの第２の領域とは隣接している。
【００６２】
具体的に、第１の機器が図１におけるネットワーク機器１１０であって、第２の機器が図２におけるネットワーク機器１２０であり、少なくとも１つの第２の領域が領域４であって、少なくとも１つの第１の領域が領域５であってもよく、これにより、第１の機器により確定される領域５のリソースと領域４のリソースとの間の干渉が比較的小さくなり、さらに、第１の機器は領域５のリソースと領域４のリソースとが直交するように確定でき、これにより、異なる端末機器が領域４及び領域５でデータを伝送する際に、干渉がなく、さらに通信の信頼性を確保できる。
【００６３】
本発明の実施例では、第１の機器は少なくとも１つの第２の領域に対して設定し、少なくとも１つの第２の領域のリソースと少なくとも１つの第１の領域のリソースとが直交するように設定でき、リソースが直交するように設定することは、単なる好ましい実施例にすぎず、実際の応用では、リソース間の干渉が比較的小さくなるように設定してもよく、例えば、少なくとも１つの第２の領域と少なくとも１つの第１の領域との干渉閾値が設定閾値より小さくなるように設定してもよいことが理解されるべきである。
【００６４】
一選択可能な実施例として、前記第１の機器が前記第１のリソース指示情報に基づいて前記第１の機器がカバーする少なくとも１つの第２の領域のリソースを設定した後、前記第１の機器が前記第２の機器に第２のリソース指示情報を送信し、前記第２の機器が、前記第１の機器が送信した第２のリソース指示情報を受信する。前記第２のリソース指示情報は、前記少なくとも１つの第２の領域が占有するリソースを指示するためのものである。
【００６５】
具体的に、第１の機器が少なくとも１つの第２の領域におけるリソースに対して設定した後、第２の機器に第２のリソース指示情報を送信し、少なくとも１つの第２の領域のリソース状況を第２の機器に報告し、第２の機器は、自身がカバーする領域のリソースに対して設定する必要があるとき、この第２の指示情報に基づいて設定することで、設定された少なくとも１つの第１の領域のリソースと少なくとも１つの第２の領域のリソースとが直交するようにすることができ、又は第２の機器は、少なくとも１つの第２の領域のリソース状況に基づいて少なくとも１つの第１の領域のリソースを設定でき、盲目的に設定することによるリソース衝突又はリソースアイドルの状況を回避し、リソース利用率を向上できる。
【００６６】
一選択可能な実施例として、前記第１の機器が第１のリソース指示情報に基づき、前記少なくとも１つの第２の領域と前記少なくとも１つの第１の領域とが同じリソースを占有するように設定し、又は、前記第１の機器が前記第１のリソース指示情報に基づき、前記少なくとも１つの第２の領域のリソースと前記少なくとも１つの第１の領域における隣接する領域のリソースが直交するように設定する。
【００６７】
一選択可能な実施例として、前記第１の機器が前記第１のリソース指示情報に基づいて前記第１の機器がカバーする少なくとも１つの第２の領域のリソースを設定するステップは、前記第１の機器が前記第１のリソース指示情報に基づいて前記少なくとも１つの第２の領域における隣接する領域のリソースが直交するように設定するステップを含む。
【００６８】
具体的に、第１の機器は、少なくとも１つの第２の領域と少なくとも１つの第１の領域とが同じリソースを占有するように設定でき、第２の機器がカバーする少なくとも１つの第１の領域におけるいずれか２つの領域のリソースが直交している場合、例えば、図１に示す第１の機器がネットワーク機器１１０であって、第２の機器がネットワーク機器１２０である場合、第１の機器は、領域１と領域５とが同じリソースを使用し、領域２と領域６とが同じリソースを使用し、領域３と領域７とが同じリソースを使用し、領域４と領域８とが同じリソースを使用するように設定できる。また、例えば、領域５及び領域８のリソースが直交している場合、第１の機器は、領域１が領域７のリソースを使用し、領域２が領域８のリソースを使用し、領域３が領域５のリソースを使用し、領域４が領域６のリソースを使用するように設定できる。さらに、例えば、第１の機器が領域９をさらに含み、この領域９と領域１とが左に隣接している場合、第１の機器は、領域１と領域５とが同じリソースを使用し、領域２と領域６とが同じリソースを使用し、領域３と領域７とが同じリソースを使用し、領域４と領域８とが同じリソースを使用するように設定でき、第１の機器は、領域９に設定するリソースと領域１に設定するリソースとが直交するように設定できる。同じリソースを使用する領域は時間分割多重又は周波数分割多重等の方式によりデータ通信を行うことができる。
【００６９】
具体的に、前記第１の機器が前記第１のリソース指示情報に基づき、前記少なくとも１つの第２の領域のリソースと前記少なくとも１つの第１の領域における隣接する領域のリソースが直交するように設定するステップは、前記少なくとも１つの第２の領域における隣接する領域のリソースが直交するように設定するステップを含んでもよく、例えば、図１に示す第１の機器がネットワーク機器１１０であって、第２の機器がネットワーク機器１２０である場合、第２の機器が領域５、領域６、領域７及び領域８のリソース状況を第１のリソース指示情報を介して第１の機器に送信し、第１の機器がこの第１のリソース指示情報に基づいて領域５、領域６、領域７及び領域８が占有するリソースを確定したときに、領域４と領域５とのリソースが直交し、領域３と領域４とのリソースが直交し、領域３と領域２とのリソースが直交し、領域２と領域１とのリソースが直交するように設定する。
【００７０】
一選択可能な実施例として、前記第１の機器が、前記第２の機器が送信した第１のリソース指示情報を受信する前に、前記方法は、前記第１の機器が前記第２の機器にリソース要求メッセージを送信するステップと、前記第２の機器が、前記第１の機器が送信したリソース要求メッセージを受信するステップと、をさらに含み、前記リソース要求メッセージは、前記少なくとも１つの第１の領域が占有するリソースを要求するために使用される。ここで、前記第２の機器が第１の機器に第１のリソース指示情報を送信するステップは、前記第２の機器が前記リソース要求メッセージに基づいて前記第１の機器に前記第１のリソース指示情報を送信するステップを含む。前記第１の機器が、前記第２の機器が送信した第１のリソース指示情報を受信するステップは、前記第１の機器が、前記第２の機器が前記リソース要求メッセージに基づいて送信した前記第１のリソース指示情報を受信するステップを含む。
【００７１】
具体的に、第２の機器は直接に第１の機器に第１のリソース指示情報を送信してもよいが、第２の機器が第１の機器の要求に基づいて第２の機器に第１のリソース指示情報を送信してもよく、即ち、第１の機器は第２の機器にリソース要求メッセージを送信することにより、第２の機器がカバーする領域のリソース占有状況を要求でき、例えば、このリソース要求メッセージは、第１の機器に隣接している領域が占有するリソースを要求してもよいが、第２の機器がカバーする一部又は全部の領域が占有するリソースを要求してもよく、第２の機器がこのリソース要求メッセージを受信した後、このリソース要求メッセージに基づいて第１の機器に第１のリソース指示情報を送信する。選択的に、第１の機器は、リソース設定を行う必要があるとき、第２の機器にリソース要求メッセージを送信することにより、第２の機器がカバーする領域のリソース占有状況を知る。
【００７２】
一選択可能な実施例として、前記リソース要求メッセージには、前記第１のリソース指示情報の送信方式が含まれ、前記送信方式は、周期的送信方式又は非周期的送信方式を含む。
【００７３】
即ち、このリソース要求メッセージには、第１のリソース指示情報の送信方式が設置され、例えば、この第１の指示情報の送信方式は、周期的送信又は非周期的送信であってもよく、もちろん、周期的と非周期的の交互式送信であってもよく、本発明の実施例はこれに限定されない。
【００７４】
一選択可能な実施例として、前記第１の機器は車両インターネットにおける機器であり、及び／又は、前記第２の機器は車両インターネットにおける機器である。
【００７５】
具体的に、車両インターネットに領域の概念を導入して、地理的位置に基づいて異なる領域を区画し、異なる領域を領域によって識別し、各領域は、一定のリソースに対応し、具体的に、１つ又は複数のリソースプールであってもよく、車両インターネットにおける端末機器の移動速度は比較的速く、領域の区画によって、同一のネットワークで隣接する領域のリソースが直交し干渉しないことを確保し、また、第１の機器と第２の機器のインタラクションによって、第１の機器と第２の機器との隣接する領域のリソース直交を確保できる。
【００７６】
選択的に、第１の機器と第２の機器はネットワーク機器であってもよいが、リソース設定能力を有する機器であってもよく、例えば、Ｖ２Ｖにおいてリソース設定能力を有する機器であってもよい。第１の機器が車両インターネットにおける機器であって、第２の機器が車両インターネットにおける機器であってもよく、又は第１の機器が車両インターネットにおける機器であって、第２の機器がセルラネットワークにおける機器であってもよく、又は第１の機器及び第２の機器がいずれもセルラネットワークにおける機器であってもよく、本発明の実施例はこれに限定されない。もちろん、第１の機器がリソース設定能力を有し、第２の機器がリソース設定能力を持たなくてもよく、例えば、第２の機器は、単に自身のリソース占有状況を第１のリソース指示情報を介して第１の機器に送信し、本発明の実施例ではこれについて限定をしない。
【００７７】
選択的に、１つの領域が複数のリソースプールに対応する場合、異なるトラヒックが異なるリソースプールを使用してもよく、例えば、端末機器がこの領域まで移動した場合、Ａトラヒック通信時にこの領域のリソースプール１を採用し、Ｂトラヒック通信時にこの領域のリソースプール２を採用し、具体的に、リソースプールとトラヒックとの対応関係はネットワークにより設定され、又はプロトコルにより規定されてもよく、本発明の実施例ではこれについて限定をしない。
【００７８】
選択的に、第２の機器が第１の機器に第１のリソース指示情報を送信するステップは、従来の基地局と基地局との間のＸ２インターフェイスに基づいて実現されることができ、例えば、負荷情報メッセージ（ＬＯＡＤ  ＩＮＦＯＲＭＡＴＩＯＮ  ｍｅｓｓａｇｅ）を介して、このＬＯＡＤ  ＩＮＦＯＲＭＡＴＩＯＮ  ｍｅｓｓａｇｅにこの第１のリソース指示情報を設置することにより第１の機器に送信してもよく、もちろん、新たに設計したメッセージであってもよく、又は未来のネットワークシステムにおいて定義される新たなシグナリングに設置されてもよい。
【００７９】
選択的に、第１の機器が第２の機器にリソース要求メッセージを送信するステップは、従来の基地局と基地局との間のＸ２インターフェイスを介して実現されることができ、例えば、リソース状態要求メッセージ（ＲＥＳＯＵＲＣＥ  ＳＴＡＴＵＳ  ＲＥＱＵＥＳＴ  ｍｅｓｓａｇｅ）を介してリソース要求メッセージ送信し、リソース状態応答メッセージ（ＲＥＳＯＵＲＣＥ  ＳＴＡＴＵＳ  ＲＥＳＰＯＮＳＥ  ｍｅｓｓａｇｅ）又はリソース状態更新メッセージ（ＲＥＳＯＵＲＣＥ  ＳＴＡＴＵＳ  ＵＰＤＡＴＥ  ｍｅｓｓａｇｅ）を介して第１のリソース指示情報を送信でき、第１の機器はＲＥＳＯＵＲＣＥ  ＳＴＡＴＵＳ  ＲＥＱＵＥＳＴ  ｍｅｓｓａｇｅにこのリソース要求メッセージを設置して第２の機器に送信でき、第２の機器は第１のリソース指示情報をＲＥＳＯＵＲＣＥ  ＳＴＡＴＵＳ  ＲＥＳＰＯＮＳＥ  ｍｅｓｓａｇｅ又はＲＥＳＯＵＲＣＥ  ＳＴＡＴＵＳ  ＵＰＤＡＴＥ  ｍｅｓｓａｇｅに設置して第１の機器に送信でき、もちろん、このリソース要求メッセージ又は第１のリソース指示情報は、また他の第１の機器と第２の機器のインタラクションにおけるシグナリング、又は新たに設計したメッセージに設置されてもよく、本発明の実施例はこれに限定されない。
【００８０】
本発明の実施例で言及された第１の機器と第２の機器の間の情報インタラクションは、従来の機器の間のシグナリングインタラクションに基づいて実現されてもよく、本発明の実施例に係る情報を従来のシグナリングに設置して伝送してもよいが、又は新たに設計したメッセージであってもよく、又は未来のネットワークシステムにおいて定義される新たなシグナリングに設置してもよく、本発明の実施例はこれについて限定をしないことが理解されるべきである。
【００８１】
図４は、本発明の実施例に係るリソース割り当て装置４００を示す模式図であり、例えば、この装置４００はネットワーク機器であってもよく、装置４００は、下記の受信モジュール４１０と設定モジュール４２０を備える。
【００８２】
受信モジュール４１０は、第２の機器が送信した第１のリソース指示情報を受信するために使用され、前記第１のリソース指示情報は、前記第２の機器がカバーする少なくとも１つの第１の領域が占有するリソースを指示するためのものである。
【００８３】
設定モジュール４２０は、前記第１のリソース指示情報に基づいて前記リソース割り当て装置がカバーする少なくとも１つの第２の領域のリソースを設定するために使用される。
【００８４】
一選択可能な実施例として、前記少なくとも１つの第１の領域と前記少なくとも１つの第２の領域とは隣接している。
【００８５】
一選択可能な実施例として、前記装置４００は、第１の送信モジュールをさらに備え、第１の送信モジュールは、前記第１のリソース指示情報に基づいて前記リソース割り当て装置がカバーする少なくとも１つの第２の領域のリソースを設定した後、前記第２の機器に第２のリソース指示情報を送信するために使用され、前記第２のリソース指示情報は、前記少なくとも１つの第２の領域が占有するリソースを指示するためのものである。
【００８６】
一選択可能な実施例として、前記設定モジュール４２０は、具体的に、第１のリソース指示情報に基づき、前記少なくとも１つの第２の領域と前記少なくとも１つの第１の領域とが同じリソースを占有するように設定するために使用され、又は、前記第１のリソース指示情報に基づき、前記少なくとも１つの第２の領域のリソースと前記少なくとも１つの第１の領域における隣接する領域のリソースが直交するように設定するために使用される。
【００８７】
一選択可能な実施例として、前記設定モジュール４２０は、具体的に、また前記第１のリソース指示情報に基づいて前記少なくとも１つの第２の領域における隣接する領域のリソースが直交するように設定するために使用される。
【００８８】
一選択可能な実施例として、前記装置４００は、第２の送信モジュールをさらに備え、第２の送信モジュールは、前記第２の機器が送信した第１のリソース指示情報を受信する前に、前記第２の機器にリソース要求メッセージを送信するために使用され、前記リソース要求メッセージは、前記少なくとも１つの第１の領域が占有するリソースを要求するために使用され、前記受信モジュール４１０は、具体的に、前記第２の機器が前記リソース要求メッセージに基づいて送信した前記第１のリソース指示情報を受信するために使用される。
【００８９】
一選択可能な実施例として、前記リソース要求メッセージには、前記第１のリソース指示情報の送信方式が含まれ、前記送信方式は、周期的送信方式又は非周期的送信方式を含む。
【００９０】
一選択可能な実施例として、前記装置４００は車両インターネットにおける機器であり、及び／又は、前記第２の機器は車両インターネットにおける機器である。
【００９１】
ここで、装置４００は機能モジュールの形で具現化されていることが理解されるべきである。ここで、用語「モジュール」は、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ，ＡＳＩＣ）、電子回路、１つ又は複数のソフトウェア又はファームウェアプログラムを実行するためのプロセッサー（例えば共有プロセッサー、専用プロセッサー又はパケットプロセッサー等）及びメモリ、合成論理回路及び／又は説明されている機能をサポートする他の適切なコンポーネントを指してもよい。一選択可能な例では、当業者であれば、装置４００が具体的に、上記の実施例に係る第１の機器であってもよく、装置４００が上記の方法の実施例に係る第１の機器に対応する各フロー及び／又はステップを実行するために使用されてもよいことが理解され、重複を避けるために、ここで詳細な説明を省略する。
【００９２】
図５は、本発明の実施例に係るリソース割り当て装置５００を示す模式図であり、例えば、この装置５００は端末機器であってもよく、装置５００は、下記の送信モジュール５１０を備える。
【００９３】
送信モジュール５１０は、第１の機器が第１のリソース指示情報に基づいて前記第１の機器がカバーする少なくとも１つの第２の領域のリソースを設定するように、前記第１の機器に前記第１のリソース指示情報を送信するために使用され、前記第１のリソース指示情報は、前記装置がカバーする少なくとも１つの第１の領域が占有するリソースを指示するためのものである。
【００９４】
一選択可能な実施例として、前記少なくとも１つの第１の領域と前記少なくとも１つの第２の領域とは隣接している。
【００９５】
一選択可能な実施例として、前記装置５００は、第１の受信モジュールをさらに備え、第１の機器に第１のリソース指示情報を送信した後、前記第１の機器が送信した第２のリソース指示情報を受信するために使用され、前記第２のリソース指示情報は、前記少なくとも１つの第２の領域が占有するリソースを指示するためのものである。
【００９６】
一選択可能な実施例として、前記装置５００は、第２の受信モジュールをさらに備え、第１の機器に第１のリソース指示情報を送信する前に、前記第１の機器が送信したリソース要求メッセージを受信するために使用され、前記リソース要求メッセージは、前記少なくとも１つの第１の領域が占有するリソースを要求するために使用され、前記送信モジュール５１０は、具体的に、前記リソース要求メッセージに基づいて前記第１の機器に前記第１のリソース指示情報を送信するために使用される。
【００９７】
一選択可能な実施例として、前記リソース要求メッセージには、前記第１のリソース指示情報の送信方式が含まれ、前記送信方式は、周期的送信方式又は非周期的送信方式を含む。
【００９８】
一選択可能な実施例として、前記第１の機器は車両インターネットにおける機器であり、及び／又は、前記装置５００は車両インターネットにおける機器である。
【００９９】
ここで、装置５００は機能モジュールの形で具現化されていることが理解されるべきである。ここで、用語「モジュール」は、ＡＳＩＣ、電子回路、１つ又は複数のソフトウェア又はファームウェアプログラムを実行するためのプロセッサー（例えば共有プロセッサー、専用プロセッサー又はパケットプロセッサー等）及びメモリ、合成論理回路及び／又は説明されている機能をサポートする他の適切なコンポーネントを指してもよい。一選択可能な例では、当業者であれば、装置５００が具体的に、上記の実施例に係る第２の機器であってもよく、装置５００が上記の方法の実施例に係る第２の機器に対応する各フロー及び／又はステップを実行するために使用されてもよいことが理解され、重複を避けるために、ここで詳細な説明を省略する。
【０１００】
図６は、本発明の実施例に提供されたリソース割り当てシステム６００の概略構造図である。この通信システム６００は、装置４００及び装置５００を含む。
【０１０１】
図７は、本発明の実施例に提供されたリソース割り当て装置７００を示しており、例えば、この装置７００は第１の機器であってもよく、この装置７００は、受信機７１０、プロセッサー７２０、送信機７３０、メモリ７４０及びバスシステム７５０を備える。ここで、受信機７１０、プロセッサー７２０、送信機７３０及びメモリ７４０はバスシステム７５０を介して接続され、このメモリ７４０は命令を記憶するために使用され、このプロセッサー７２０はこのメモリ７４０に記憶された命令を実行することにより、この受信機７１０が信号を受信し、この送信機７３０が命令を送信するように制御する。
【０１０２】
ここで、受信機７１０は、第２の機器が送信した第１のリソース指示情報を受信するために使用され、前記第１のリソース指示情報は、前記第２の機器がカバーする少なくとも１つの第１の領域が占有するリソースを指示するためのものであり、プロセッサー７２０は、前記第１のリソース指示情報に基づいて前記装置がカバーする少なくとも１つの第２の領域のリソースを設定するために使用される。
【０１０３】
一選択可能な実施例として、前記少なくとも１つの第１の領域と前記少なくとも１つの第２の領域とは隣接している。
【０１０４】
一選択可能な実施例として、送信機７３０は、前記第１のリソース指示情報に基づいて前記装置がカバーする少なくとも１つの第２の領域のリソースを設定した後、前記第２の機器に第２のリソース指示情報を送信するために使用され、前記第２のリソース指示情報は、前記少なくとも１つの第２の領域が占有するリソースを指示するためのものである。
【０１０５】
一選択可能な実施例として、プロセッサー７２０は、具体的に、第１のリソース指示情報に基づき、前記少なくとも１つの第２の領域と前記少なくとも１つの第１の領域とが同じリソースを占有するように設定するために使用され、又は、前記第１のリソース指示情報に基づき、前記少なくとも１つの第２の領域のリソースと前記少なくとも１つの第１の領域における隣接する領域のリソースが直交するように設定するために使用される。
【０１０６】
一選択可能な実施例として、プロセッサー７２０は、具体的に、また前記第１のリソース指示情報に基づいて前記少なくとも１つの第２の領域における隣接する領域のリソースが直交するように設定するために使用される。
【０１０７】
一選択可能な実施例として、送信機７３０は、また、前記第２の機器が送信した第１のリソース指示情報を受信する前に、前記第２の機器にリソース要求メッセージを送信するために使用され、前記リソース要求メッセージは、前記少なくとも１つの第１の領域が占有するリソースを要求するために使用され、前記受信機７１０は、具体的に、前記第２の機器が前記リソース要求メッセージに基づいて送信した前記第１のリソース指示情報を受信するために使用される。
【０１０８】
一選択可能な実施例として、前記リソース要求メッセージには、前記第１のリソース指示情報の送信方式が含まれ、前記送信方式は、周期的送信方式又は非周期的送信方式を含む。
【０１０９】
一選択可能な実施例として、前記装置７００は車両インターネットにおける機器であり、及び／又は、前記第２の機器は車両インターネットにおける機器である。
【０１１０】
装置７００が具体的に、上記の実施例に係る第１の機器であってもよく、且つ上記の方法の実施例に係る第１の機器に対応する各ステップ及び／又はフローを実行するために使用されてもよいことが理解されるべきである。選択的に、このメモリ７４０は、読み取り専用メモリ及びランダムアクセスメモリを含んでもよく、プロセッサーに命令及びデータを提供する。メモリの一部は、また、不揮発性ランダムアクセスメモリを含んでもよい。例えば、メモリは、また機器タイプ情報を記憶してもよい。このプロセッサー７２０はメモリに記憶された命令を実行するために使用されてもよく、このプロセッサーがこの命令を実行することにより、このプロセッサーが上記の方法の実施例に係る第１の機器に対応する各ステップを実行する。
【０１１１】
図８は、本発明の実施例に提供されたリソース割り当て装置８００を示しており、例えば、この装置８００は第２の機器であってもよく、この装置８００は、受信機８１０、プロセッサー８２０、送信機８３０、メモリ８４０及びバスシステム８５０を備える。ここで、受信機８１０、プロセッサー８２０、送信機８３０及びメモリ８４０はバスシステム８５０を介して接続され、このメモリ８４０は命令を記憶するために使用され、このプロセッサー８２０はこのメモリ８４０に記憶された命令を実行することにより、この受信機８１０が信号を受信し、この送信機８３０が命令を送信するように制御する。
【０１１２】
ここで、送信機８３０は、第１の機器が第１のリソース指示情報に基づいて前記第１の機器がカバーする少なくとも１つの第２の領域のリソースを設定するように、前記第１の機器に前記第１のリソース指示情報を送信するために使用され、前記第１のリソース指示情報は、前記装置がカバーする少なくとも１つの第１の領域が占有するリソースを指示するためのものである。
【０１１３】
一選択可能な実施例として、前記少なくとも１つの第１の領域と前記少なくとも１つの第２の領域とは隣接している。
【０１１４】
一選択可能な実施例として、受信機８１０は、第１の機器に第１のリソース指示情報を送信した後、前記第１の機器が送信した第２のリソース指示情報を受信するために使用され、前記第２のリソース指示情報は、前記少なくとも１つの第２の領域が占有するリソースを指示するためのものである。
【０１１５】
一選択可能な実施例として、受信機８１０は、また、第１の機器に第１のリソース指示情報を送信する前に、前記第１の機器が送信したリソース要求メッセージを受信するために使用され、前記リソース要求メッセージは、前記少なくとも１つの第１の領域が占有するリソースを要求するために使用され、前記送信機８３０は、具体的に、前記リソース要求メッセージに基づいて前記第１の機器に前記第１のリソース指示情報を送信するために使用される。
【０１１６】
一選択可能な実施例として、前記リソース要求メッセージには、前記第１のリソース指示情報の送信方式が含まれ、前記送信方式は、周期的送信方式又は非周期的送信方式を含む。
【０１１７】
一選択可能な実施例として、前記第１の機器は車両インターネットにおける機器であり、及び／又は、前記装置８００は車両インターネットにおける機器である。
【０１１８】
装置８００が具体的に、上記の実施例に係る第２の機器であってもよく、且つ上記の方法の実施例に係る第２の機器に対応する各ステップ及び／又はフローを実行するために使用されてもよいことが理解されるべきである。選択的に、このメモリ８４０は、読み取り専用メモリ及びランダムアクセスメモリを含んでもよく、プロセッサーに命令及びデータを提供する。メモリの一部は、また、不揮発性ランダムアクセスメモリを含んでもよい。例えば、メモリは、また機器タイプ情報を記憶してもよい。このプロセッサー８２０はメモリに記憶された命令を実行するために使用されてもよく、このプロセッサーがこの命令を実行することにより、このプロセッサーが上記の方法の実施例に係る第２の機器に対応する各ステップを実行する。
【０１１９】
本発明の実施例では、プロセッサー７２０及びプロセッサー８２０は中央処理装置（Ｃｅｎｔｒａｌ  Ｐｒｏｃｅｓｓｉｎｇ  Ｕｎｉｔ，ＣＰＵ）であってもよく、プロセッサーはまた、他の汎用プロセッサー、デジタル信号プロセッサー（ＤＳＰ）、特定用途向け集積回路（ＡＳＩＣ）、フィールドプログラマブルゲートアレイ（ＦＰＧＡ）又は他のプログラマブル論理デバイス、ディスクリートゲート又はトランジスタ論理デバイス、ディスクリートコンポーネント等であってもよいことが理解されるべきである。汎用プロセッサーはマイクロプロセッサーであってもよいが、このプロセッサーはいずれかの通常のプロセッサー等であってもよい。
【０１２０】
本明細書における用語「及び／又は」は、関連するオブジェクトを説明する関連付けにすぎず、３つの関係が存在できることを表し、例えば、Ａ及び／又はＢは、Ａが単独に存在し、Ａ及びＢが同時に存在し、Ｂが単独に存在する３つの場合を表すことが理解されるべきである。また、本明細書における符号「／」は、一般的に前後関連するオブジェクトの間が「又は」の関係であることを表す。
【０１２１】
本発明の各実施例では、上記の各フローの番号の大きさは、実行する前後順序を意味するものではなく、各フローの実行順序は、その機能及び内部論理により確定されるべきであり、本発明の実施例に係る実施フローに対していずれかの限定を構成しないことが理解されるべきである。
【０１２２】
当業者であれば、本明細書に開示された実施例に関連して説明された各例のユニット及びアルゴリズムステップが、電子ハードウェア、又はコンピュータソフトウェア及び電子ハードウェアの組み合わせで実現できることが認識される。これらの機能がハードウェアで実行されるかソフトウェアで実行されるかは、技術手段の特定のアプリケーション及び設計上の制約条件によって異なる。当業者であれば、特定の用途ごとに異なる方法を使用して記載された機能を実現できるが、このような実現が本発明の範囲を超えると考慮されるべきではない。
【０１２３】
当業者であれば、説明の便宜及び簡潔さのために、上述のシステム、装置及びユニットの具体的な作業プロセスは、前述の方法の実施例に係る対応するプロセスを参照することができ、ここで詳細な説明を省略することを理解することができる。
【０１２４】
本発明に提供された幾つかの実施例において、開示されたシステム、装置及び方法は、他の方式で実現されてもよいことが理解されるべきである。例えば、上述のような装置の実施例は、単なる例にすぎず、例えば、前記ユニットの区分は、単なる論理的な機能による区分であり、実際に実現するときは他の区分方式であってもよく、例えば、複数のユニット又はコンポーネントが組み合わせられたり、又は他のシステムに集積されてもよく、或いは幾つかの特徴が省略されたり、又は実行されなくてもよい。一方、示された又は解説された相互間の結合又は直接的な結合又は通信接続は、幾つかのインターフェイス、装置又はユニットによる間接的な結合又は通信接続であってもよく、電気的、機械的又は他の形態であってもよい。
【０１２５】
前記ディスクリート部材として説明されたユニットは、物理的に分離されてもよく、物理的に分離されなくてもよく、ユニットとして示された部材は、物理的なユニットであってもよく、物理的なユニットでなくてもよく、同じところに位置してもよく、複数のネットワークユニット上に分散されてもよい。実際の需要に応じて、一部又は全部のユニットを選択し、本実施例の目的を実現することができる。
【０１２６】
なお、本発明の各実施例に係る各機能ユニットは、１つの処理ユニットに集積されていてもよく、各ユニットが単独に物理的に存在していてもよく、２つ又は２つ以上のユニットが１つのユニットに集積されていてもよい。
【０１２７】
前記機能がソフトウェア機能ユニットの形で実現され、且つ独立した製品として販売又は使用される場合には、１つのコンピュータ読み取り可能な記録媒体に記憶されることができる。このような理解に基づき、本発明の技術手段は本質的に、従来技術に貢献した一部又はこの技術手段の一部がソフトウェアプロダクトの状態で具現化されることができ、このコンピュータソフトウェアプロダクトは、１つの記録媒体に記憶され、１台のコンピュータ機器（パーソナルコンピュータ、サーバ、又はネットワーク機器等であってもよい）に本発明の各実施例に記載の方法のステップの全部又は一部を実行させる命令を若干備える。ここで、前述の記録媒体は、ＵＳＢメモリ、モバイルハードディスク、読み取り専用メモリ（Ｒｅａｄ  Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、又は光ディスク等のプログラムコードを記憶可能な様々な媒体を含む。
【０１２８】
以上は、本発明の具体的な実施形態にすぎず、本発明の範囲はこれらに限定されない。この技術分野の当業者であれば、いずれも本発明に提示された技術範囲内で、変更又は置き換えを行うことを容易に想到し得るものがいずれも本発明の範囲に含まれる。したがって、本発明の範囲は、特許請求の範囲により示される。
【図１】
2019530994.tif 000003
【図２】
2019530994.tif 000004
【図３】
2019530994.tif 000005
【図４】
2019530994.tif 000006
【図５】
2019530994.tif 000007
【図６】
2019530994.tif 000008
【図７】
2019530994.tif 000009
【図８】
2019530994.tif 000010
【手続補正書】
【提出日】平成31年2月20日(2019.2.20)
【手続補正１】
【補正対象書類名】明細書
【補正対象項目名】全文
【補正方法】変更
【補正の内容】
【発明の詳細な説明】
【技術分野】
【０００１】
本発明は、通信分野に関し、特に通信分野におけるリソース割り当て方法及び装置に関する。
【背景技術】
【０００２】
第３世代パートナーシッププロジェクト（ｔｈｅ  ３ｒｄ  Ｇｅｎｅｒａｔｉｏｎ  Ｐａｒｔｎｅｒｓｈｉｐ  Ｐｒｏｊｅｃｔ，３ＧＰＰ）プロトコルでは、機器と機器（Ｄｅｖｉｃｅ  ｔｏ  Ｄｅｖｉｃｅ，Ｄ２Ｄ）の通信が標準化されている。ここで、Ｄ２Ｄ通信のリソース割り当ては、下記の２つの方式により実現されることができ、第１の方式では、ネットワーク機器によりＤ２Ｄ通信の伝送リソースを割り当て、この方式は、セルラネットワークがカバーされている状況に適用され、第２の方式では、端末機器が自律的に伝送リソースを選択し、例えば、端末機器は予め規定した複数のリソース割り当てパターンから１つのリソース割り当てパターンをランダムに選択し、選択されたこのリソース割り当てパターンに基づき、Ｄ２Ｄ通信時に採用する伝送リソースを確定でき、この方式は、主にセルラネットワークがカバーされていない状況に適用される。
【０００３】
通信技術のさらなる発展に伴い、車両と車両（Ｖｅｈｉｃｌｅ  ｔｏ  Ｖｅｈｉｃｌｅ，Ｖ２Ｖ）の技術及び車両と機器（Ｖｅｈｉｃｌｅ  ｔｏ  Ｘ，Ｖ２Ｘ）の技術が研究のホットスポットとなっている。ここで、Ｖ２Ｘにおいて、Ｘは、無線受信及び送信能力のあるいずれかの機器を広く指してもよく、例えば、低速移動無線装置、高速移動車載機器、又は無線送受信能力のあるネットワーク制御ノード等があるがこれに限定されない。しかしながら、車載機器の高速移動の特性のため、従来技術の上記のリソース割り当て方式はＶ２Ｖ技術及びＶ２Ｘ技術に適用されず、したがって、Ｖ２Ｖ技術及びＶ２Ｘ技術において、領域に基づくリソース割り当て方式が提案され、ネットワーク機器がカバーするセルを地理的に幾つかの領域に区分し、各領域に対してリソース又はリソースプールを割り当てることにより、端末機器が隣接する領域のリソース又はリソースプールを使用して通信する際に干渉を比較的小さく確保し、隣接する比較的遠いリソースプールはリソース多重化を行うことができるが、端末機器が隣接する２つのネットワーク機器がカバーする隣接する領域の間のリソース又はリソースプールを使用して通信する際に、一定の干渉を引き起こし、さらに通信品質が低下される。
【発明の概要】
【発明が解決しようとする課題】
【０００４】
本発明の実施例は、データ通信品質を向上できるリソース割り当て方法及び装置を提供する。
【課題を解決するための手段】
【０００５】
第１の態様によれば、リソース割り当て方法が提供され、この方法は、第１の機器が、第２の機器が送信した第１のリソース指示情報を受信するステップと、前記第１の機器が前記第１のリソース指示情報に基づいて前記第１の機器がカバーする少なくとも１つの第２の領域のリソースを設定するステップと、を含み、前記第１のリソース指示情報は、前記第２の機器がカバーする少なくとも１つの第１の領域が占有するリソースを指示するためのものである。
【０００６】
これにより、第１の機器により設定された少なくとも１つの第２の領域のリソースと第２の機器がカバーする少なくとも１つの第１の領域のリソースとの干渉を比較的小さく確保でき、異なる端末機器が隣接する領域でデータを伝送する際に、隣接する領域間の干渉を低減し、データ通信品質を向上させることができる。
【０００７】
選択的に、第１の機器は第１のリソース指示情報に基づいて自身がカバーする領域のリソースを設定でき、例えば、少なくとも１つの第２の領域のリソースと少なくとも１つの第１の領域のリソースとが直交するように設定でき、これにより、異なる端末機器が第１の機器がカバーする異なる領域でデータを伝送する際に、干渉がなく、さらにデータ通信品質を向上できる。
【０００８】
さらに、第１の機器が、第２の機器が送信した第１のリソース指示情報を取得した後、第１の機器は第２の機器のリソース状況に基づいて自身が存在する領域のリソースに対して設定し、第２の機器のネットワーク負荷に基づいて自身のリソースを設定でき、これにより、リソース利用率を向上できる。
【０００９】
選択的に、少なくとも１つの第１の領域は、第２の機器がカバーする全ての領域又は一部の領域であってもよい。少なくとも１つの第２の領域は、第１の機器がカバーする全ての領域又は一部の領域であってもよい。
【００１０】
第１の態様の第１の可能な実現形態では、前記少なくとも１つの第１の領域と前記少なくとも１つの第２の領域とは隣接している。
【００１１】
具体的に、この少なくとも１つの第１の領域は、第１の機器が注目している領域であってもよく、例えば、この第１の機器は、少なくとも１つの第２の領域のリソースを設定する必要があり、この少なくとも１つの第２の領域と隣接する第２の機器がカバーする領域を取得する必要があり、第１の機器は、第２の機器がカバーする隣接する領域のリソースに基づいて自身のリソースを設定し、さらに、第１の機器は、少なくとも１つの第２の領域と少なくとも１つの第１の領域とのリソースが直交するように設定でき、これにより、２つの機器の隣接領域のリソースの直交性を確保でき、２つの異なる端末機器がこの２つの隣接する領域で通信する際に、干渉を回避し、通信品質を向上できる。
【００１２】
第１の態様の上記の可能な実現形態に関連して、第１の態様の第２の可能な実現形態では、前記第１の機器が前記第１のリソース指示情報に基づいて前記第１の機器がカバーする少なくとも１つの第２の領域のリソースを設定した後、前記方法は、前記第１の機器が前記第２の機器に第２のリソース指示情報を送信するステップをさらに含み、前記第２のリソース指示情報は、前記少なくとも１つの第２の領域が占有するリソースを指示するためのものである。
【００１３】
第２の機器は、第２の機器がカバーする領域のリソースを設定する必要があるとき、第１の機器がカバーする領域のリソースに基づいて設定することができ、盲目的に設定することによるリソース衝突又はリソースアイドルの状況を回避し、リソース利用率を向上できる。
【００１４】
第１の態様の上記の可能な実現形態に関連して、第１の態様の第３の可能な実現形態では、前記第１の機器が前記第１のリソース指示情報に基づいて前記第１の機器がカバーする少なくとも１つの第２の領域のリソースを設定するステップは、前記第１の機器が第１のリソース指示情報に基づき、前記少なくとも１つの第２の領域と前記少なくとも１つの第１の領域とが同じリソースを占有するように設定するステップ、又は、前記第１の機器が前記第１のリソース指示情報に基づき、前記少なくとも１つの第２の領域のリソースと前記少なくとも１つの第１の領域における隣接する領域のリソースが直交するように設定するステップ、を含む。
【００１５】
第１の態様の上記の可能な実現形態に関連して、第１の態様の第４の実現形態では、前記第１の機器が前記第１のリソース指示情報に基づいて前記第１の機器がカバーする少なくとも１つの第２の領域のリソースを設定するステップは、前記第１の機器が前記第１のリソース指示情報に基づいて前記少なくとも１つの第２の領域における隣接する領域のリソースが直交するように設定するステップを含む。
【００１６】
第１の態様の上記の可能な実現形態に関連して、第１の態様の第５の実現形態では、前記第１の機器が、前記第２の機器が送信した第１のリソース指示情報を受信する前に、前記方法は、前記第１の機器が前記第２の機器にリソース要求メッセージを送信するステップをさらに含み、前記リソース要求メッセージは、前記少なくとも１つの第１の領域が占有するリソースを要求するために使用され、ここで、前記第１の機器が、前記第２の機器が送信した第１のリソース指示情報を受信するステップは、前記第１の機器が、前記第２の機器が前記リソース要求メッセージに基づいて送信した前記第１のリソース指示情報を受信するステップを含む。
【００１７】
第１の態様の上記の可能な実現形態に関連して、第１の態様の第６の実現形態では、前記リソース要求メッセージには、前記第１のリソース指示情報の送信方式が含まれ、前記送信方式は、周期的送信方式又は非周期的送信方式を含む。
【００１８】
即ち、このリソース要求メッセージには、第１のリソース指示情報の送信方式が設置され、例えば、この第１の指示情報の送信方式は、周期的送信又は非周期的送信であってもよく、もちろん、周期的と非周期的の交互式送信であってもよい。
【００１９】
第１の態様の上記の可能な実現形態に関連して、第１の態様の第７の実現形態では、前記第１の機器は車両インターネットにおける機器であり、及び／又は、前記第２の機器は車両インターネットにおける機器である。
【００２０】
車両インターネットに領域の概念を導入して、地理的位置に基づいて異なる領域を区画し、異なる領域を領域によって識別し、各領域は、一定のリソースに対応し、具体的に、１つ又は複数のリソースプールであってもよく、車両インターネットにおける端末機器の移動速度は比較的速く、領域の区画によって、同一のネットワークで隣接する領域のリソースが直交し干渉しないことを確保し、また、第１の機器と第２の機器のインタラクションによって、第１の機器と第２の機器との隣接する領域のリソース直交を確保できる。
【００２１】
選択的に、この第１の機器及び第２の機器はネットワーク機器であってもよいが、リソース設定能力を有するいずれかの機器であってもよい。
【００２２】
選択的に、１つの領域が複数のリソースプールに対応する場合、異なるトラヒックが異なるリソースプールを使用してもよく、例えば、端末機器がこの領域まで移動した場合、Ａトラヒック通信時にこの領域のリソースプール１を採用し、Ｂトラヒック通信時にこの領域のリソースプール２を採用し、具体的に、ネットワークにより設定され、又はプロトコルにより規定されてもよい。
【００２３】
第２の態様によれば、リソース割り当て方法が提供され、この方法は、第１の機器が第１のリソース指示情報に基づいて前記第１の機器がカバーする少なくとも１つの第２の領域のリソースを設定するように、第２の機器が前記第１の機器に前記第１のリソース指示情報を送信するステップを含み、前記第１のリソース指示情報は、前記第２の機器がカバーする少なくとも１つの第１の領域が占有するリソースを指示するためのものである。
【００２４】
第２の機器が第１の機器に第１のリソース指示情報を送信するステップは、周期的送信であってもよいが、非周期的送信であってもよく、又は、周期的と非周期的の交互式送信であってもよく、具体的に、どのような方式により送信するかは、ネットワークにより設定され、又はプロトコルにより規定されてもよく、本発明の実施例はこれに限定されない。
【００２５】
第２の態様の第１の可能な実現形態では、前記少なくとも１つの第１の領域と前記少なくとも１つの第２の領域とは隣接している。
【００２６】
第２の態様の上記の可能な実現形態に関連して、第２の態様の第２の実現形態では、前記第２の機器が第１の機器に第１のリソース指示情報を送信した後、前記方法は、前記第２の機器が、前記第１の機器が送信した第２のリソース指示情報を受信するステップをさらに含み、前記第２のリソース指示情報は、前記少なくとも１つの第２の領域が占有するリソースを指示するためのものである。
【００２７】
第２の態様の上記の可能な実現形態に関連して、第２の態様の第３の実現形態では、前記第２の機器が第１の機器に第１のリソース指示情報を送信する前に、前記方法は、前記第２の機器が、前記第１の機器が送信したリソース要求メッセージを受信するステップをさらに含み、前記リソース要求メッセージは、前記少なくとも１つの第１の領域が占有するリソースを要求するために使用され、ここで、前記第２の機器が第１の機器に第１のリソース指示情報を送信するステップは、前記第２の機器が前記リソース要求メッセージに基づいて前記第１の機器に前記第１のリソース指示情報を送信するステップを含む。
【００２８】
第２の態様の上記の可能な実現形態に関連して、第２の態様の第４の実現形態では、前記リソース要求メッセージには、前記第１のリソース指示情報の送信方式が含まれ、前記送信方式は、周期的送信方式又は非周期的送信方式を含む。
【００２９】
第２の態様の上記の可能な実現形態に関連して、第２の態様の第５の実現形態では、前記第１の機器は車両インターネットにおける機器であり、及び／又は、前記第２の機器は車両インターネットにおける機器である。
【００３０】
第３の態様によれば、上記の第１の態様又は第１の態様の任意の可能な実現形態における方法を実行するためのリソース割り当て装置が提供される。具体的に、この装置は、上記の第１の態様又は第１の態様の任意の可能な実現形態における方法を実行するためのモジュールを備える。
【００３１】
第４の態様によれば、上記の第２の態様又は第２の態様の任意の可能な実現形態における方法を実行するためのリソース割り当て装置が提供される。具体的に、この装置は、上記の第２の態様又は第２の態様の任意の可能な実現形態における方法を実行するためのモジュールを備える。
【００３２】
第５の態様によれば、リソース割り当て装置が提供され、この機器は、受信機、送信機、メモリ、プロセッサー及びバスシステムを備える。ここで、この受信機、この送信機、このメモリ及びこのプロセッサーはこのバスシステムを介して接続され、このメモリは命令を記憶するために使用され、このプロセッサーはこのメモリに記憶された命令を実行することにより、受信機が信号を受信し、送信機が信号を送信するように制御し、また、このプロセッサーがこのメモリに記憶された命令を実行するとき、この実行によりこのプロセッサーが第１の態様又は第１の態様の任意の可能な実現形態における方法を実行する。
【００３３】
第６の態様によれば、リソース割り当て装置が提供され、この機器は、受信機、送信機、メモリ、プロセッサー及びバスシステムを備える。ここで、この受信機、この送信機、このメモリ及びこのプロセッサーはこのバスシステムを介して接続され、このメモリは命令を記憶するために使用され、このプロセッサーはこのメモリに記憶された命令を実行することにより、受信機が信号を受信し、送信機が信号を送信するように制御し、また、このプロセッサーがこのメモリに記憶された命令を実行するとき、この実行によりこのプロセッサーが第２の態様又は第２の態様の任意の可能な実現形態における方法を実行する。
【００３４】
第７の態様によれば、リソース割り当てシステムが提供され、前記システムは、第５の態様に記載のリソース割り当て装置及び第６の態様に記載のリソース割り当て装置を含む。
【００３５】
第８の態様によれば、コンピュータプログラムを記憶するためのコンピュータ可読媒体が提供され、このコンピュータプログラムには、第１の態様又は第１の態様の任意の可能な実現形態における方法を実行するための命令が含まれる。
【００３６】
第９の態様によれば、コンピュータプログラムを記憶するためのコンピュータ可読媒体が提供され、このコンピュータプログラムには、第２の態様又は第２の態様の任意の可能な実現形態における方法を実行するための命令が含まれる。
【００３７】
以下、本発明の実施例に係る技術手段をさらに明瞭に説明するために、実施例又は従来技術の記載に使用する必要がある図面に対して簡単に紹介する。なお、以下の記載における図面はただ本発明の一部の実施例に過ぎず、当業者の場合、創造的な労働を付与しない前提で、これらの図面によって他の図面を得ることができる。
【図面の簡単な説明】
【００３８】
【図１】本発明の実施例に適用される無線通信システムの模式図である。
【図２】本発明の実施例に係るリソース割り当て方法の模式図である。
【図３】本発明の実施例に係る他のリソース割り当て方法の模式図である。
【図４】本発明の実施例に係るリソース割り当て装置の概略ブロック図である。
【図５】本発明の実施例に係る他のリソース割り当て装置の概略ブロック図である
【図６】本発明の実施例に係るリソース割り当てシステムの概略ブロック図である。
【図７】本発明の実施例に係るリソース割り当て装置の概略ブロック図である。
【図８】本発明の実施例に係る他のリソース割り当て装置の概略ブロック図である。
【発明を実施するための形態】
【００３９】
以下は、本発明の実施例に係る図面を参考しながら、本発明の実施例に係る技術手段をより明確且つ完全に説明し、説明されている実施例が、本発明の実施例の一部に過ぎず、全てではないことは明らかである。本発明の実施例に基づいて、当業者が創造的な労働を付与しない前提で得られた他の実施例の全ては、本発明の保護範囲に属する。
【００４０】
本発明の実施例に係る技術手段は、グローバルモバイル通信（Ｇｌｏｂａｌ  Ｓｙｓｔｅｍ  ｏｆ  Ｍｏｂｉｌｅ  ｃｏｍｍｕｎｉｃａｔｉｏｎ、単に「ＧＳＭ」と称する）システム、符号分割多元接続（Ｃｏｄｅ  Ｄｉｖｉｓｉｏｎ  Ｍｕｌｔｉｐｌｅ  Ａｃｃｅｓｓ、単に「ＣＤＭＡ」と称する）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、単に「ＷＣＤＭＡ」と称する）システム、汎用パケット無線サービス（Ｇｅｎｅｒａｌ  Ｐａｃｋｅｔ  Ｒａｄｉｏ  Ｓｅｒｖｉｃｅ、単に「ＧＰＲＳ」と称する）、ロングタームエボリューション（Ｌｏｎｇ  Ｔｅｒｍ  Ｅｖｏｌｕｔｉｏｎ、単に「ＬＴＥ」と称する）システム、ＬＴＥ周波数分割複信（Ｆｒｅｑｕｅｎｃｙ  Ｄｉｖｉｓｉｏｎ  Ｄｕｐｌｅｘ、単に「ＦＤＤ」と称する）システム、ＬＴＥ時間分割複信（Ｔｉｍｅ  Ｄｉｖｉｓｉｏｎ  Ｄｕｐｌｅｘ、単に「ＴＤＤ」と称する）、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、単に「ＵＭＴＳ」と称する）又はグローバル相互接続マイクロ波アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、単に「ＷｉＭＡＸ」と称する）通信システム、及び未来の可能な通信システム等のような様々な通信システムに適用されることが理解されるべきである。
【００４１】
また、ネットワーク機器は端末機器と通信する機器であってもよいことが理解されるべきである。各ネットワーク機器は、特定の地理的領域のために通信カバーを提供し、このカバー領域内に位置する端末機器（例えばＵＥ）と通信を行うことができる。このネットワーク機器はＧＳＭ又はＣＤＭＡにおける基地局（Ｂａｓｅ  Ｔｒａｎｓｃｅｉｖｅｒ  Ｓｔａｔｉｏｎ、単に「ＢＴＳ」と称する）であってもよいが、ＷＣＤＭＡシステムにおける基地局（ＮｏｄｅＢ、単に「ＮＢ」と称する）であってもよく、また、ＬＴＥシステムにおける進化型基地局（Ｅｖｏｌｕｔｉｏｎａｌ  ＮｏｄｅＢ、単に「ｅＮＢ又はｅＮｏｄｅＢ」と称する）であってもよく、クラウド無線アクセスネットワーク（Ｃｌｏｕｄ  Ｒａｄｉｏ  Ａｃｃｅｓｓ  Ｎｅｔｗｏｒｋ、単に「ＣＲＡＮ」と称する）シナリオでのワイヤレスコントローラであってもよく、又はこのネットワーク機器は、中継局、アクセスポイント、車載機器、ウェアラブル機器、及び未来５Ｇネットワークにおけるネットワーク機器又は未来進化のＰＬＭＮネットワークにおけるネットワーク機器等であってもよい。
【００４２】
また、端末機器は移動的又は固定的なものであってもよいことが理解されるべきである。端末機器は、アクセス端末、ユーザ機器、ユーザユニット、ユーザ局、移動局、モバイルステーション、遠隔局、遠隔端末、移動機器、ユーザ端末、端末、無線通信機器、ユーザエージェント又はユーザ装置を指してもよい。アクセス端末は、携帯電話、コードレス電話、セッション確立プロトコル（Ｓｅｓｓｉｏｎ  Ｉｎｉｔｉａｔｉｏｎ  Ｐｒｏｔｏｃｏｌ，ＳＩＰ）電話、ワイヤレスローカルループ（Ｗｉｒｅｌｅｓｓ  Ｌｏｃａｌ  Ｌｏｏｐ，ＷＬＬ）局、パーソナルデジタルアシスタント（Ｐｅｒｓｏｎａｌ  Ｄｉｇｉｔａｌ  Ａｓｓｉｓｔａｎｔ，ＰＤＡ）、無線通信機能のあるハンドヘルド機器、計算機器又は無線モデムに接続する他の処理機器、車載機器、ウェアラブル機器、未来５Ｇネットワークにおける端末機器又は未来進化の公衆陸上移動体ネットワーク（Ｐｕｂｌｉｃ  Ｌａｎｄ  Ｍｏｂｉｌｅ  Ｎｅｔｗｏｒｋ，ＰＬＭＮ）における端末機器等であってもよい。
【００４３】
幾つかの実施例では、Ｄ２Ｄ通信は、車両と車両（Ｖｅｈｉｃｌｅ  ｔｏ  Ｖｅｈｉｃｌｅ、単に「Ｖ２Ｖ」と称する）の通信、又はＶ２Ｘ通信を指してもよい。Ｖ２Ｘ通信において、Ｘは、無線受信及び送信能力のあるいずれかの機器を広く指してもよく、例えば、低速移動無線装置、高速移動車載機器、又は無線送受信能力のあるネットワーク制御ノードであってもよいがこれに限定されない。
【００４４】
具体的に、端末機器は、セルラー通信モード又はＤ２Ｄ通信モードで通信を行うことができ、ここで、セルラー通信モードにおいて、端末機器はネットワーク機器との間のセルラーリンクを介して他の端末機器と通信し、Ｄ２Ｄ通信モードにおいて、２つの端末機器はＤ２Ｄリンクを介して直接に通信する。
【００４５】
端末機器は、Ｄ２Ｄ通信（例えばＶ２Ｖ通信又はＶ２Ｘ通信）を行う際に、伝送リソースを自律的に選択してもよいが、ネットワーク機器によりＤ２Ｄ通信時の伝送リソースが割り当てられてもよく、本発明の実施例ではこれについて限定をしない。
【００４６】
本発明の実施例は、主にＶ２Ｘ通信シナリオに応用されるが、他のいずれかのＤ２Ｄ通信シナリオに応用されてもよく、本発明の実施例はこれについて限定をしないことが理解されるべきである。
【００４７】
図１は、本発明の実施例に適用される無線通信システム１００の模式図であり、この無線通信システム１００は、複数のネットワーク機器を含んでもよく、図１において、２つのネットワーク機器１１０及びネットワーク機器１２０のみを例として説明し、選択的に、各ネットワーク機器のカバー範囲内に他の数の端末機器が含まれてもよく、本発明の実施例はこれについて限定をしない。さらに、この無線通信システム１００は、また、移動管理エンティティ（Ｍｏｂｉｌｅ  Ｍａｎａｇｅｍｅｎｔ  Ｅｎｔｉｔｙ，ＭＭＥ）、サービスゲートウェイ（Ｓｅｒｖｉｎｇ  Ｇａｔｅｗａｙ，Ｓ−ＧＷ）、パケットデータネットワークゲートウェイ（Ｐａｃｋｅｔ  Ｄａｔａ  Ｎｅｔｗｏｒｋ  Ｇａｔｅｗａｙ，Ｐ−ＧＷ）等の他のネットワークエンティティを含んでもよいが、本発明の実施例はこれに限定されない。
【００４８】
ネットワーク機器１１０がカバーするセルは、領域１（Ｚｏｎｅ１）、領域２（Ｚｏｎｅ２）、領域３（Ｚｏｎｅ３）及び領域４（Ｚｏｎｅ４）に区画されることができる。ネットワーク機器１２０がカバーするセルは、領域５（Ｚｏｎｅ５）、領域６（Ｚｏｎｅ６）、領域７（Ｚｏｎｅ７）及び領域８（Ｚｏｎｅ８）に区画されることができる。上記の８つの領域のうちの各領域は一定のリソースに対応し、領域ＩＤ（Ｉｄｅｎｔｉｔｙ）のような相応な領域識別子を介して各領域を識別でき、各領域識別子はこの領域に対応するリソース識別子に対応する。例えば、各領域は１つ又は複数のリソースプールに対応し、端末機器がこの各領域まで移動した場合、端末機器は各領域に対応するリソースを利用して通信を行うことができる。ネットワーク機器１１０は、Ｚｏｎｅ１及びＺｏｎｅ２のリソースが直交し、Ｚｏｎｅ２及びＺｏｎｅ３のリソースが直交し、Ｚｏｎｅ３及びＺｏｎｅ４のリソースが直交するように設定できる。ネットワーク機器１２０は、Ｚｏｎｅ５及びＺｏｎｅ６のリソースが直交し、Ｚｏｎｅ６及びＺｏｎｅ７のリソースが直交し、Ｚｏｎｅ７及びＺｏｎｅ８のリソースが直交するように構成できる。これにより、異なる端末機器が隣接する領域の間で通信する際に干渉がないようにすることができる。しかしながら、Ｚｏｎｅ４に対応するリソースとＺｏｎｅ５に対応するリソースとの直交性を確保できず、さらに、２つの端末機器が同時にＺｏｎｅ４及びＺｏｎｅ５でデータを伝送する際に、干渉を引き起こし、さらに通信品質が低下され、本発明では、ネットワーク機器１１０及びネットワーク機器１２０の間のインタラクションシグナリングによりこの問題を解決でき、例えば、ネットワーク機器１１０が本発明の実施例に係る第１の機器であって、ネットワーク機器１２０が本発明の実施例に係る第２の機器であってもよい。
【００４９】
図２は、本発明の実施例に係るリソース割り当て方法２００を示す概略フローチャートである。図２において、リソース割り当て方法のステップ又は動作を示しているが、これらのステップ又は動作は単なる例示にすぎず、本発明の実施例において、また、他の動作又は図２の各動作の変形を実行でき、この方法２００は、下記のステップを含む。
【００５０】
Ｓ２１０：第１の機器が、第２の機器が送信した第１のリソース指示情報を受信し、前記第１のリソース指示情報は、前記第２の機器がカバーする少なくとも１つの第１の領域が占有するリソースを指示するためのものである。
【００５１】
Ｓ２２０：前記第１の機器が前記第１のリソース指示情報に基づいて前記第１の機器がカバーする少なくとも１つの第２の領域のリソースを設定する。
【００５２】
図３は、本発明の実施例に係るリソース割り当て方法３００を示す概略フローチャートである。図３において、リソース割り当て方法のステップ又は動作を示しているが、これらのステップ又は動作は単なる例示にすぎず、本発明の実施例において、また、他の動作又は図３の各動作の変形を実行でき、この方法３００は、下記のステップを含む。
【００５３】
Ｓ３１０：第１の機器が第１のリソース指示情報に基づいて前記第１の機器がカバーする少なくとも１つの第２の領域のリソースを設定するように、第２の機器が前記第１の機器に前記第１のリソース指示情報を送信し、前記第１のリソース指示情報は、前記第２の機器がカバーする少なくとも１つの第１の領域が占有するリソースを指示するためのものである。
【００５４】
具体的に、第２の機器が第１のリソース指示情報を第１の機器に送信した後、第１の機器は、この第１のリソース指示情報に基づいて自身がカバーする領域のリソースを設定でき、これにより、第１の機器により設定された少なくとも１つの第２の領域のリソースと第２の機器がカバーする少なくとも１つの第１の領域のリソースとの干渉を比較的小さく確保でき、異なる端末機器が隣接する領域でデータを伝送する際に、隣接する領域間の干渉を低減し、データ通信品質を向上させることができる。
【００５５】
例えば、第１の機器が図１におけるネットワーク機器１１０であって、第２の機器が図１におけるネットワーク機器１２０であってもよく、又は第１の機器が図１におけるネットワーク機器１２０であって、第２の機器が図１におけるネットワーク機器１１０であってもよい。もちろん、第１の機器及び第２の機器は他の機器であってもよい。
【００５６】
選択的に、第１の機器は第１のリソース指示情報に基づいて自身がカバーする領域のリソースを設定でき、例えば、少なくとも１つの第２の領域のリソースと少なくとも１つの第１の領域のリソースとが直交するように設定でき、これにより、異なる端末機器が第１の機器がカバーする異なる領域でデータを伝送する際に、干渉がなく、さらにデータ通信品質を向上できる。
【００５７】
さらに、第１の機器が、第２の機器が送信した第１のリソース指示情報を取得した後、第１の機器は第２の機器のリソース状況に基づいて自身が存在する領域のリソースに対して設定し、第２の機器のネットワーク負荷に基づいて自身のリソースを設定し、これにより、リソース利用率を向上できる。
【００５８】
また、第１の機器は複数の第２の機器が送信したリソース指示情報を受信でき、第１の機器は複数のネットワーク機器がカバーする領域におけるリソース使用状況に基づき、自身がカバーする領域のリソースを確定し、これにより、第１の機器がカバーする領域におけるリソースが周囲の全てのネットワーク機器のリソースと直交するようになる。
【００５９】
選択的に、少なくとも１つの第１の領域は、第２の機器がカバーする全ての領域又は一部の領域であってもよく、例えば、第２の機器が４つの領域をカバーすると、この少なくとも１つの第１の領域は１つの領域であってもよく、この領域は第１の機器と隣接する領域であり、又はこの少なくとも１つの第１の領域は２つの領域であってもよく、この２つの領域がいずれも第１の機器がカバーする領域と隣接してもよいが、１つの領域が第１の機器がカバーする領域と隣接し、他の領域が第１の機器がカバーする領域と隣接しなくてもよく、又はこの少なくとも１つの第２の領域は全部の４つの領域であってもよく、本発明の実施例はこれに限定されない。同様に、少なくとも１つの第２の領域は第１の機器がカバーする全ての領域又は一部の領域であってもよく、本発明の実施例はこれに限定されない。
【００６０】
第２の機器が第１の機器に第１のリソース指示情報を送信するステップは、周期的送信であってもよいが、非周期的送信であってもよく、又は、周期的と非周期的の交互式送信であってもよく、具体的に、どのような方式により送信するかは、ネットワークにより設定され、又はプロトコルにより規定されてもよく、本発明の実施例はこれに限定されないことが理解されるべきである。
【００６１】
一選択可能な実施例として、前記少なくとも１つの第１の領域と前記少なくとも１つの第２の領域とは隣接している。
【００６２】
具体的に、第１の機器が図１におけるネットワーク機器１１０であって、第２の機器が図１におけるネットワーク機器１２０であり、少なくとも１つの第２の領域が領域４であって、少なくとも１つの第１の領域が領域５であってもよく、これにより、第１の機器により確定される領域５のリソースと領域４のリソースとの間の干渉が比較的小さくなり、さらに、第１の機器は領域５のリソースと領域４のリソースとが直交するように確定でき、これにより、異なる端末機器が領域４及び領域５でデータを伝送する際に、干渉がなく、さらに通信の信頼性を確保できる。
【００６３】
本発明の実施例では、第１の機器は少なくとも１つの第２の領域に対して設定し、少なくとも１つの第２の領域のリソースと少なくとも１つの第１の領域のリソースとが直交するように設定でき、リソースが直交するように設定することは、単なる好ましい実施例にすぎず、実際の応用では、リソース間の干渉が比較的小さくなるように設定してもよく、例えば、少なくとも１つの第２の領域と少なくとも１つの第１の領域との干渉閾値が設定閾値より小さくなるように設定してもよいことが理解されるべきである。
【００６４】
一選択可能な実施例として、前記第１の機器が前記第１のリソース指示情報に基づいて前記第１の機器がカバーする少なくとも１つの第２の領域のリソースを設定した後、前記第１の機器が前記第２の機器に第２のリソース指示情報を送信し、前記第２の機器が、前記第１の機器が送信した第２のリソース指示情報を受信する。前記第２のリソース指示情報は、前記少なくとも１つの第２の領域が占有するリソースを指示するためのものである。
【００６５】
具体的に、第１の機器が少なくとも１つの第２の領域におけるリソースに対して設定した後、第２の機器に第２のリソース指示情報を送信し、少なくとも１つの第２の領域のリソース状況を第２の機器に報告し、第２の機器は、自身がカバーする領域のリソースに対して設定する必要があるとき、この第２の指示情報に基づいて設定することで、設定された少なくとも１つの第１の領域のリソースと少なくとも１つの第２の領域のリソースとが直交するようにすることができ、又は第２の機器は、少なくとも１つの第２の領域のリソース状況に基づいて少なくとも１つの第１の領域のリソースを設定でき、盲目的に設定することによるリソース衝突又はリソースアイドルの状況を回避し、リソース利用率を向上できる。
【００６６】
一選択可能な実施例として、前記第１の機器が第１のリソース指示情報に基づき、前記少なくとも１つの第２の領域と前記少なくとも１つの第１の領域とが同じリソースを占有するように設定し、又は、前記第１の機器が前記第１のリソース指示情報に基づき、前記少なくとも１つの第２の領域のリソースと前記少なくとも１つの第１の領域における隣接する領域のリソースが直交するように設定する。
【００６７】
一選択可能な実施例として、前記第１の機器が前記第１のリソース指示情報に基づいて前記第１の機器がカバーする少なくとも１つの第２の領域のリソースを設定するステップは、前記第１の機器が前記第１のリソース指示情報に基づいて前記少なくとも１つの第２の領域における隣接する領域のリソースが直交するように設定するステップを含む。
【００６８】
具体的に、第１の機器は、少なくとも１つの第２の領域と少なくとも１つの第１の領域とが同じリソースを占有するように設定でき、第２の機器がカバーする少なくとも１つの第１の領域におけるいずれか２つの領域のリソースが直交している場合、例えば、図１に示す第１の機器がネットワーク機器１１０であって、第２の機器がネットワーク機器１２０である場合、第１の機器は、領域１と領域５とが同じリソースを使用し、領域２と領域６とが同じリソースを使用し、領域３と領域７とが同じリソースを使用し、領域４と領域８とが同じリソースを使用するように設定できる。また、例えば、領域５及び領域８のリソースが直交している場合、第１の機器は、領域１が領域７のリソースを使用し、領域２が領域８のリソースを使用し、領域３が領域５のリソースを使用し、領域４が領域６のリソースを使用するように設定できる。さらに、例えば、第１の機器が領域９をさらに含み、この領域９と領域１とが左に隣接している場合、第１の機器は、領域１と領域５とが同じリソースを使用し、領域２と領域６とが同じリソースを使用し、領域３と領域７とが同じリソースを使用し、領域４と領域８とが同じリソースを使用するように設定でき、第１の機器は、領域９に設定するリソースと領域１に設定するリソースとが直交するように設定できる。同じリソースを使用する領域は時間分割多重又は周波数分割多重等の方式によりデータ通信を行うことができる。
【００６９】
具体的に、前記第１の機器が前記第１のリソース指示情報に基づき、前記少なくとも１つの第２の領域のリソースと前記少なくとも１つの第１の領域における隣接する領域のリソースが直交するように設定するステップは、前記少なくとも１つの第２の領域における隣接する領域のリソースが直交するように設定するステップを含んでもよく、例えば、図１に示す第１の機器がネットワーク機器１１０であって、第２の機器がネットワーク機器１２０である場合、第２の機器が領域５、領域６、領域７及び領域８のリソース状況を第１のリソース指示情報を介して第１の機器に送信し、第１の機器がこの第１のリソース指示情報に基づいて領域５、領域６、領域７及び領域８が占有するリソースを確定したときに、領域４と領域５とのリソースが直交し、領域３と領域４とのリソースが直交し、領域３と領域２とのリソースが直交し、領域２と領域１とのリソースが直交するように設定する。
【００７０】
一選択可能な実施例として、前記第１の機器が、前記第２の機器が送信した第１のリソース指示情報を受信する前に、前記方法は、前記第１の機器が前記第２の機器にリソース要求メッセージを送信するステップと、前記第２の機器が、前記第１の機器が送信したリソース要求メッセージを受信するステップと、をさらに含み、前記リソース要求メッセージは、前記少なくとも１つの第１の領域が占有するリソースを要求するために使用される。ここで、前記第２の機器が第１の機器に第１のリソース指示情報を送信するステップは、前記第２の機器が前記リソース要求メッセージに基づいて前記第１の機器に前記第１のリソース指示情報を送信するステップを含む。前記第１の機器が、前記第２の機器が送信した第１のリソース指示情報を受信するステップは、前記第１の機器が、前記第２の機器が前記リソース要求メッセージに基づいて送信した前記第１のリソース指示情報を受信するステップを含む。
【００７１】
具体的に、第２の機器は直接に第１の機器に第１のリソース指示情報を送信してもよいが、第２の機器が第１の機器の要求に基づいて第２の機器に第１のリソース指示情報を送信してもよく、即ち、第１の機器は第２の機器にリソース要求メッセージを送信することにより、第２の機器がカバーする領域のリソース占有状況を要求でき、例えば、このリソース要求メッセージは、第１の機器に隣接している領域が占有するリソースを要求してもよいが、第２の機器がカバーする一部又は全部の領域が占有するリソースを要求してもよく、第２の機器がこのリソース要求メッセージを受信した後、このリソース要求メッセージに基づいて第１の機器に第１のリソース指示情報を送信する。選択的に、第１の機器は、リソース設定を行う必要があるとき、第２の機器にリソース要求メッセージを送信することにより、第２の機器がカバーする領域のリソース占有状況を知る。
【００７２】
一選択可能な実施例として、前記リソース要求メッセージには、前記第１のリソース指示情報の送信方式が含まれ、前記送信方式は、周期的送信方式又は非周期的送信方式を含む。
【００７３】
即ち、このリソース要求メッセージには、第１のリソース指示情報の送信方式が設置され、例えば、この第１の指示情報の送信方式は、周期的送信又は非周期的送信であってもよく、もちろん、周期的と非周期的の交互式送信であってもよく、本発明の実施例はこれに限定されない。
【００７４】
一選択可能な実施例として、前記第１の機器は車両インターネットにおける機器であり、及び／又は、前記第２の機器は車両インターネットにおける機器である。
【００７５】
具体的に、車両インターネットに領域の概念を導入して、地理的位置に基づいて異なる領域を区画し、異なる領域を領域によって識別し、各領域は、一定のリソースに対応し、具体的に、１つ又は複数のリソースプールであってもよく、車両インターネットにおける端末機器の移動速度は比較的速く、領域の区画によって、同一のネットワークで隣接する領域のリソースが直交し干渉しないことを確保し、また、第１の機器と第２の機器のインタラクションによって、第１の機器と第２の機器との隣接する領域のリソース直交を確保できる。
【００７６】
選択的に、第１の機器と第２の機器はネットワーク機器であってもよいが、リソース設定能力を有する機器であってもよく、例えば、Ｖ２Ｖにおいてリソース設定能力を有する機器であってもよい。第１の機器が車両インターネットにおける機器であって、第２の機器が車両インターネットにおける機器であってもよく、又は第１の機器が車両インターネットにおける機器であって、第２の機器がセルラネットワークにおける機器であってもよく、又は第１の機器及び第２の機器がいずれもセルラネットワークにおける機器であってもよく、本発明の実施例はこれに限定されない。もちろん、第１の機器がリソース設定能力を有し、第２の機器がリソース設定能力を持たなくてもよく、例えば、第２の機器は、単に自身のリソース占有状況を第１のリソース指示情報を介して第１の機器に送信し、本発明の実施例ではこれについて限定をしない。
【００７７】
選択的に、１つの領域が複数のリソースプールに対応する場合、異なるトラヒックが異なるリソースプールを使用してもよく、例えば、端末機器がこの領域まで移動した場合、Ａトラヒック通信時にこの領域のリソースプール１を採用し、Ｂトラヒック通信時にこの領域のリソースプール２を採用し、具体的に、リソースプールとトラヒックとの対応関係はネットワークにより設定され、又はプロトコルにより規定されてもよく、本発明の実施例ではこれについて限定をしない。
【００７８】
選択的に、第２の機器が第１の機器に第１のリソース指示情報を送信するステップは、従来の基地局と基地局との間のＸ２インターフェイスに基づいて実現されることができ、例えば、負荷情報メッセージ（ＬＯＡＤ  ＩＮＦＯＲＭＡＴＩＯＮ  ｍｅｓｓａｇｅ）を介して、このＬＯＡＤ  ＩＮＦＯＲＭＡＴＩＯＮ  ｍｅｓｓａｇｅにこの第１のリソース指示情報を設置することにより第１の機器に送信してもよく、もちろん、新たに設計したメッセージであってもよく、又は未来のネットワークシステムにおいて定義される新たなシグナリングに設置されてもよい。
【００７９】
選択的に、第１の機器が第２の機器にリソース要求メッセージを送信するステップは、従来の基地局と基地局との間のＸ２インターフェイスを介して実現されることができ、例えば、リソース状態要求メッセージ（ＲＥＳＯＵＲＣＥ  ＳＴＡＴＵＳ  ＲＥＱＵＥＳＴ  ｍｅｓｓａｇｅ）を介してリソース要求メッセージ送信し、リソース状態応答メッセージ（ＲＥＳＯＵＲＣＥ  ＳＴＡＴＵＳ  ＲＥＳＰＯＮＳＥ  ｍｅｓｓａｇｅ）又はリソース状態更新メッセージ（ＲＥＳＯＵＲＣＥ  ＳＴＡＴＵＳ  ＵＰＤＡＴＥ  ｍｅｓｓａｇｅ）を介して第１のリソース指示情報を送信でき、第１の機器はＲＥＳＯＵＲＣＥ  ＳＴＡＴＵＳ  ＲＥＱＵＥＳＴ  ｍｅｓｓａｇｅにこのリソース要求メッセージを設置して第２の機器に送信でき、第２の機器は第１のリソース指示情報をＲＥＳＯＵＲＣＥ  ＳＴＡＴＵＳ  ＲＥＳＰＯＮＳＥ  ｍｅｓｓａｇｅ又はＲＥＳＯＵＲＣＥ  ＳＴＡＴＵＳ  ＵＰＤＡＴＥ  ｍｅｓｓａｇｅに設置して第１の機器に送信でき、もちろん、このリソース要求メッセージ又は第１のリソース指示情報は、また他の第１の機器と第２の機器のインタラクションにおけるシグナリング、又は新たに設計したメッセージに設置されてもよく、本発明の実施例はこれに限定されない。
【００８０】
本発明の実施例で言及された第１の機器と第２の機器の間の情報インタラクションは、従来の機器の間のシグナリングインタラクションに基づいて実現されてもよく、本発明の実施例に係る情報を従来のシグナリングに設置して伝送してもよいが、又は新たに設計したメッセージであってもよく、又は未来のネットワークシステムにおいて定義される新たなシグナリングに設置してもよく、本発明の実施例はこれについて限定をしないことが理解されるべきである。
【００８１】
図４は、本発明の実施例に係るリソース割り当て装置４００を示す模式図であり、例えば、この装置４００はネットワーク機器であってもよく、装置４００は、下記の受信モジュール４１０と設定モジュール４２０を備える。
【００８２】
受信モジュール４１０は、第２の機器が送信した第１のリソース指示情報を受信するために使用され、前記第１のリソース指示情報は、前記第２の機器がカバーする少なくとも１つの第１の領域が占有するリソースを指示するためのものである。
【００８３】
設定モジュール４２０は、前記第１のリソース指示情報に基づいて前記リソース割り当て装置がカバーする少なくとも１つの第２の領域のリソースを設定するために使用される。
【００８４】
一選択可能な実施例として、前記少なくとも１つの第１の領域と前記少なくとも１つの第２の領域とは隣接している。
【００８５】
一選択可能な実施例として、前記装置４００は、第１の送信モジュールをさらに備え、第１の送信モジュールは、前記第１のリソース指示情報に基づいて前記リソース割り当て装置がカバーする少なくとも１つの第２の領域のリソースを設定した後、前記第２の機器に第２のリソース指示情報を送信するために使用され、前記第２のリソース指示情報は、前記少なくとも１つの第２の領域が占有するリソースを指示するためのものである。
【００８６】
一選択可能な実施例として、前記設定モジュール４２０は、具体的に、第１のリソース指示情報に基づき、前記少なくとも１つの第２の領域と前記少なくとも１つの第１の領域とが同じリソースを占有するように設定するために使用され、又は、前記第１のリソース指示情報に基づき、前記少なくとも１つの第２の領域のリソースと前記少なくとも１つの第１の領域における隣接する領域のリソースが直交するように設定するために使用される。
【００８７】
一選択可能な実施例として、前記設定モジュール４２０は、具体的に、また前記第１のリソース指示情報に基づいて前記少なくとも１つの第２の領域における隣接する領域のリソースが直交するように設定するために使用される。
【００８８】
一選択可能な実施例として、前記装置４００は、第２の送信モジュールをさらに備え、第２の送信モジュールは、前記第２の機器が送信した第１のリソース指示情報を受信する前に、前記第２の機器にリソース要求メッセージを送信するために使用され、前記リソース要求メッセージは、前記少なくとも１つの第１の領域が占有するリソースを要求するために使用され、前記受信モジュール４１０は、具体的に、前記第２の機器が前記リソース要求メッセージに基づいて送信した前記第１のリソース指示情報を受信するために使用される。
【００８９】
一選択可能な実施例として、前記リソース要求メッセージには、前記第１のリソース指示情報の送信方式が含まれ、前記送信方式は、周期的送信方式又は非周期的送信方式を含む。
【００９０】
一選択可能な実施例として、前記装置４００は車両インターネットにおける機器であり、及び／又は、前記第２の機器は車両インターネットにおける機器である。
【００９１】
ここで、装置４００は機能モジュールの形で具現化されていることが理解されるべきである。ここで、用語「モジュール」は、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ，ＡＳＩＣ）、電子回路、１つ又は複数のソフトウェア又はファームウェアプログラムを実行するためのプロセッサー（例えば共有プロセッサー、専用プロセッサー又はパケットプロセッサー等）及びメモリ、合成論理回路及び／又は説明されている機能をサポートする他の適切なコンポーネントを指してもよい。一選択可能な例では、当業者であれば、装置４００が具体的に、上記の実施例に係る第１の機器であってもよく、装置４００が上記の方法の実施例に係る第１の機器に対応する各フロー及び／又はステップを実行するために使用されてもよいことが理解され、重複を避けるために、ここで詳細な説明を省略する。
【００９２】
図５は、本発明の実施例に係るリソース割り当て装置５００を示す模式図であり、例えば、この装置５００は端末機器であってもよく、装置５００は、下記の送信モジュール５１０を備える。
【００９３】
送信モジュール５１０は、第１の機器が第１のリソース指示情報に基づいて前記第１の機器がカバーする少なくとも１つの第２の領域のリソースを設定するように、前記第１の機器に前記第１のリソース指示情報を送信するために使用され、前記第１のリソース指示情報は、前記装置がカバーする少なくとも１つの第１の領域が占有するリソースを指示するためのものである。
【００９４】
一選択可能な実施例として、前記少なくとも１つの第１の領域と前記少なくとも１つの第２の領域とは隣接している。
【００９５】
一選択可能な実施例として、前記装置５００は、第１の受信モジュールをさらに備え、第１の機器に第１のリソース指示情報を送信した後、前記第１の機器が送信した第２のリソース指示情報を受信するために使用され、前記第２のリソース指示情報は、前記少なくとも１つの第２の領域が占有するリソースを指示するためのものである。
【００９６】
一選択可能な実施例として、前記装置５００は、第２の受信モジュールをさらに備え、第１の機器に第１のリソース指示情報を送信する前に、前記第１の機器が送信したリソース要求メッセージを受信するために使用され、前記リソース要求メッセージは、前記少なくとも１つの第１の領域が占有するリソースを要求するために使用され、前記送信モジュール５１０は、具体的に、前記リソース要求メッセージに基づいて前記第１の機器に前記第１のリソース指示情報を送信するために使用される。
【００９７】
一選択可能な実施例として、前記リソース要求メッセージには、前記第１のリソース指示情報の送信方式が含まれ、前記送信方式は、周期的送信方式又は非周期的送信方式を含む。
【００９８】
一選択可能な実施例として、前記第１の機器は車両インターネットにおける機器であり、及び／又は、前記装置５００は車両インターネットにおける機器である。
【００９９】
ここで、装置５００は機能モジュールの形で具現化されていることが理解されるべきである。ここで、用語「モジュール」は、ＡＳＩＣ、電子回路、１つ又は複数のソフトウェア又はファームウェアプログラムを実行するためのプロセッサー（例えば共有プロセッサー、専用プロセッサー又はパケットプロセッサー等）及びメモリ、合成論理回路及び／又は説明されている機能をサポートする他の適切なコンポーネントを指してもよい。一選択可能な例では、当業者であれば、装置５００が具体的に、上記の実施例に係る第２の機器であってもよく、装置５００が上記の方法の実施例に係る第２の機器に対応する各フロー及び／又はステップを実行するために使用されてもよいことが理解され、重複を避けるために、ここで詳細な説明を省略する。
【０１００】
図６は、本発明の実施例に提供されたリソース割り当てシステム６００の概略構造図である。この通信システム６００は、装置４００及び装置５００を含む。
【０１０１】
図７は、本発明の実施例に提供されたリソース割り当て装置７００を示しており、例えば、この装置７００は第１の機器であってもよく、この装置７００は、受信機７１０、プロセッサー７２０、送信機７３０、メモリ７４０及びバスシステム７５０を備える。ここで、受信機７１０、プロセッサー７２０、送信機７３０及びメモリ７４０はバスシステム７５０を介して接続され、このメモリ７４０は命令を記憶するために使用され、このプロセッサー７２０はこのメモリ７４０に記憶された命令を実行することにより、この受信機７１０が信号を受信し、この送信機７３０が命令を送信するように制御する。
【０１０２】
ここで、受信機７１０は、第２の機器が送信した第１のリソース指示情報を受信するために使用され、前記第１のリソース指示情報は、前記第２の機器がカバーする少なくとも１つの第１の領域が占有するリソースを指示するためのものであり、プロセッサー７２０は、前記第１のリソース指示情報に基づいて前記装置がカバーする少なくとも１つの第２の領域のリソースを設定するために使用される。
【０１０３】
一選択可能な実施例として、前記少なくとも１つの第１の領域と前記少なくとも１つの第２の領域とは隣接している。
【０１０４】
一選択可能な実施例として、送信機７３０は、前記第１のリソース指示情報に基づいて前記装置がカバーする少なくとも１つの第２の領域のリソースを設定した後、前記第２の機器に第２のリソース指示情報を送信するために使用され、前記第２のリソース指示情報は、前記少なくとも１つの第２の領域が占有するリソースを指示するためのものである。
【０１０５】
一選択可能な実施例として、プロセッサー７２０は、具体的に、第１のリソース指示情報に基づき、前記少なくとも１つの第２の領域と前記少なくとも１つの第１の領域とが同じリソースを占有するように設定するために使用され、又は、前記第１のリソース指示情報に基づき、前記少なくとも１つの第２の領域のリソースと前記少なくとも１つの第１の領域における隣接する領域のリソースが直交するように設定するために使用される。
【０１０６】
一選択可能な実施例として、プロセッサー７２０は、具体的に、また前記第１のリソース指示情報に基づいて前記少なくとも１つの第２の領域における隣接する領域のリソースが直交するように設定するために使用される。
【０１０７】
一選択可能な実施例として、送信機７３０は、また、前記第２の機器が送信した第１のリソース指示情報を受信する前に、前記第２の機器にリソース要求メッセージを送信するために使用され、前記リソース要求メッセージは、前記少なくとも１つの第１の領域が占有するリソースを要求するために使用され、前記受信機７１０は、具体的に、前記第２の機器が前記リソース要求メッセージに基づいて送信した前記第１のリソース指示情報を受信するために使用される。
【０１０８】
一選択可能な実施例として、前記リソース要求メッセージには、前記第１のリソース指示情報の送信方式が含まれ、前記送信方式は、周期的送信方式又は非周期的送信方式を含む。
【０１０９】
一選択可能な実施例として、前記装置７００は車両インターネットにおける機器であり、及び／又は、前記第２の機器は車両インターネットにおける機器である。
【０１１０】
装置７００が具体的に、上記の実施例に係る第１の機器であってもよく、且つ上記の方法の実施例に係る第１の機器に対応する各ステップ及び／又はフローを実行するために使用されてもよいことが理解されるべきである。選択的に、このメモリ７４０は、読み取り専用メモリ及びランダムアクセスメモリを含んでもよく、プロセッサーに命令及びデータを提供する。メモリの一部は、また、不揮発性ランダムアクセスメモリを含んでもよい。例えば、メモリは、また機器タイプ情報を記憶してもよい。このプロセッサー７２０はメモリに記憶された命令を実行するために使用されてもよく、このプロセッサーがこの命令を実行することにより、このプロセッサーが上記の方法の実施例に係る第１の機器に対応する各ステップを実行する。
【０１１１】
図８は、本発明の実施例に提供されたリソース割り当て装置８００を示しており、例えば、この装置８００は第２の機器であってもよく、この装置８００は、受信機８１０、プロセッサー８２０、送信機８３０、メモリ８４０及びバスシステム８５０を備える。ここで、受信機８１０、プロセッサー８２０、送信機８３０及びメモリ８４０はバスシステム８５０を介して接続され、このメモリ８４０は命令を記憶するために使用され、このプロセッサー８２０はこのメモリ８４０に記憶された命令を実行することにより、この受信機８１０が信号を受信し、この送信機８３０が命令を送信するように制御する。
【０１１２】
ここで、送信機８３０は、第１の機器が第１のリソース指示情報に基づいて前記第１の機器がカバーする少なくとも１つの第２の領域のリソースを設定するように、前記第１の機器に前記第１のリソース指示情報を送信するために使用され、前記第１のリソース指示情報は、前記装置がカバーする少なくとも１つの第１の領域が占有するリソースを指示するためのものである。
【０１１３】
一選択可能な実施例として、前記少なくとも１つの第１の領域と前記少なくとも１つの第２の領域とは隣接している。
【０１１４】
一選択可能な実施例として、受信機８１０は、第１の機器に第１のリソース指示情報を送信した後、前記第１の機器が送信した第２のリソース指示情報を受信するために使用され、前記第２のリソース指示情報は、前記少なくとも１つの第２の領域が占有するリソースを指示するためのものである。
【０１１５】
一選択可能な実施例として、受信機８１０は、また、第１の機器に第１のリソース指示情報を送信する前に、前記第１の機器が送信したリソース要求メッセージを受信するために使用され、前記リソース要求メッセージは、前記少なくとも１つの第１の領域が占有するリソースを要求するために使用され、前記送信機８３０は、具体的に、前記リソース要求メッセージに基づいて前記第１の機器に前記第１のリソース指示情報を送信するために使用される。
【０１１６】
一選択可能な実施例として、前記リソース要求メッセージには、前記第１のリソース指示情報の送信方式が含まれ、前記送信方式は、周期的送信方式又は非周期的送信方式を含む。
【０１１７】
一選択可能な実施例として、前記第１の機器は車両インターネットにおける機器であり、及び／又は、前記装置８００は車両インターネットにおける機器である。
【０１１８】
装置８００が具体的に、上記の実施例に係る第２の機器であってもよく、且つ上記の方法の実施例に係る第２の機器に対応する各ステップ及び／又はフローを実行するために使用されてもよいことが理解されるべきである。選択的に、このメモリ８４０は、読み取り専用メモリ及びランダムアクセスメモリを含んでもよく、プロセッサーに命令及びデータを提供する。メモリの一部は、また、不揮発性ランダムアクセスメモリを含んでもよい。例えば、メモリは、また機器タイプ情報を記憶してもよい。このプロセッサー８２０はメモリに記憶された命令を実行するために使用されてもよく、このプロセッサーがこの命令を実行することにより、このプロセッサーが上記の方法の実施例に係る第２の機器に対応する各ステップを実行する。
【０１１９】
本発明の実施例では、プロセッサー７２０及びプロセッサー８２０は中央処理装置（Ｃｅｎｔｒａｌ  Ｐｒｏｃｅｓｓｉｎｇ  Ｕｎｉｔ，ＣＰＵ）であってもよく、プロセッサーはまた、他の汎用プロセッサー、デジタル信号プロセッサー（ＤＳＰ）、特定用途向け集積回路（ＡＳＩＣ）、フィールドプログラマブルゲートアレイ（ＦＰＧＡ）又は他のプログラマブル論理デバイス、ディスクリートゲート又はトランジスタ論理デバイス、ディスクリートコンポーネント等であってもよいことが理解されるべきである。汎用プロセッサーはマイクロプロセッサーであってもよいが、このプロセッサーはいずれかの通常のプロセッサー等であってもよい。
【０１２０】
本明細書における用語「及び／又は」は、関連するオブジェクトを説明する関連付けにすぎず、３つの関係が存在できることを表し、例えば、Ａ及び／又はＢは、Ａが単独に存在し、Ａ及びＢが同時に存在し、Ｂが単独に存在する３つの場合を表すことが理解されるべきである。また、本明細書における符号「／」は、一般的に前後関連するオブジェクトの間が「又は」の関係であることを表す。
【０１２１】
本発明の各実施例では、上記の各フローの番号の大きさは、実行する前後順序を意味するものではなく、各フローの実行順序は、その機能及び内部論理により確定されるべきであり、本発明の実施例に係る実施フローに対していずれかの限定を構成しないことが理解されるべきである。
【０１２２】
当業者であれば、本明細書に開示された実施例に関連して説明された各例のユニット及びアルゴリズムステップが、電子ハードウェア、又はコンピュータソフトウェア及び電子ハードウェアの組み合わせで実現できることが認識される。これらの機能がハードウェアで実行されるかソフトウェアで実行されるかは、技術手段の特定のアプリケーション及び設計上の制約条件によって異なる。当業者であれば、特定の用途ごとに異なる方法を使用して記載された機能を実現できるが、このような実現が本発明の範囲を超えると考慮されるべきではない。
【０１２３】
当業者であれば、説明の便宜及び簡潔さのために、上述のシステム、装置及びユニットの具体的な作業プロセスは、前述の方法の実施例に係る対応するプロセスを参照することができ、ここで詳細な説明を省略することを理解することができる。
【０１２４】
本発明に提供された幾つかの実施例において、開示されたシステム、装置及び方法は、他の方式で実現されてもよいことが理解されるべきである。例えば、上述のような装置の実施例は、単なる例にすぎず、例えば、前記ユニットの区分は、単なる論理的な機能による区分であり、実際に実現するときは他の区分方式であってもよく、例えば、複数のユニット又はコンポーネントが組み合わせられたり、又は他のシステムに集積されてもよく、或いは幾つかの特徴が省略されたり、又は実行されなくてもよい。一方、示された又は解説された相互間の結合又は直接的な結合又は通信接続は、幾つかのインターフェイス、装置又はユニットによる間接的な結合又は通信接続であってもよく、電気的、機械的又は他の形態であってもよい。
【０１２５】
前記ディスクリート部材として説明されたユニットは、物理的に分離されてもよく、物理的に分離されなくてもよく、ユニットとして示された部材は、物理的なユニットであってもよく、物理的なユニットでなくてもよく、同じところに位置してもよく、複数のネットワークユニット上に分散されてもよい。実際の需要に応じて、一部又は全部のユニットを選択し、本実施例の目的を実現することができる。
【０１２６】
なお、本発明の各実施例に係る各機能ユニットは、１つの処理ユニットに集積されていてもよく、各ユニットが単独に物理的に存在していてもよく、２つ又は２つ以上のユニットが１つのユニットに集積されていてもよい。
【０１２７】
前記機能がソフトウェア機能ユニットの形で実現され、且つ独立した製品として販売又は使用される場合には、１つのコンピュータ読み取り可能な記録媒体に記憶されることができる。このような理解に基づき、本発明の技術手段は本質的に、従来技術に貢献した一部又はこの技術手段の一部がソフトウェアプロダクトの状態で具現化されることができ、このコンピュータソフトウェアプロダクトは、１つの記録媒体に記憶され、１台のコンピュータ機器（パーソナルコンピュータ、サーバ、又はネットワーク機器等であってもよい）に本発明の各実施例に記載の方法のステップの全部又は一部を実行させる命令を若干備える。ここで、前述の記録媒体は、ＵＳＢメモリ、モバイルハードディスク、読み取り専用メモリ（Ｒｅａｄ  Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、又は光ディスク等のプログラムコードを記憶可能な様々な媒体を含む。
【０１２８】
以上は、本発明の具体的な実施形態にすぎず、本発明の範囲はこれらに限定されない。この技術分野の当業者であれば、いずれも本発明に提示された技術範囲内で、変更又は置き換えを行うことを容易に想到し得るものがいずれも本発明の範囲に含まれる。したがって、本発明の範囲は、特許請求の範囲により示される。
【手続補正２】
【補正対象書類名】特許請求の範囲
【補正対象項目名】全文
【補正方法】変更
【補正の内容】
【特許請求の範囲】
【請求項１】
第１の機器が、第２の機器が送信した第１のリソース指示情報を受信するステップと、  前記第１の機器が前記第１のリソース指示情報に基づいて前記第１の機器がカバーする少なくとも１つの第２の領域のリソースを設定するステップと、を含み、
前記第１のリソース指示情報は、前記第２の機器がカバーする少なくとも１つの第１の領域が占有するリソースを指示するためのものである
ことを特徴とするリソース割り当て方法。
【請求項２】
前記少なくとも１つの第１の領域と前記少なくとも１つの第２の領域とは隣接している  ことを特徴とする請求項１に記載のリソース割り当て方法。
【請求項３】
前記第１の機器が前記第１のリソース指示情報に基づいて前記第１の機器がカバーする少なくとも１つの第２の領域のリソースを設定した後、
前記第１の機器が前記第２の機器に第２のリソース指示情報を送信するステップをさらに含み、
前記第２のリソース指示情報は、前記少なくとも１つの第２の領域が占有するリソースを指示するためのものである
ことを特徴とする請求項１又は２に記載のリソース割り当て方法。
【請求項４】
前記第１の機器が前記第１のリソース指示情報に基づいて前記第１の機器がカバーする少なくとも１つの第２の領域のリソースを設定するステップは、
前記第１の機器が第１のリソース指示情報に基づき、前記少なくとも１つの第２の領域と前記少なくとも１つの第１の領域とが同じリソースを占有するように設定するステップ、又は、
前記第１の機器が前記第１のリソース指示情報に基づき、前記少なくとも１つの第２の領域におけるエリアのリソースと前記第１の領域における隣接するエリアのリソースが直交するように設定するステップ、を含む
ことを特徴とする請求項１乃至３のいずれか１項に記載のリソース割り当て方法。
【請求項５】
前記第１の機器が前記第１のリソース指示情報に基づいて前記第１の機器がカバーする少なくとも１つの第２の領域のリソースを設定するステップは、
前記第１の機器が前記第１のリソース指示情報に基づいて前記少なくとも１つの第２の領域における隣接するエリアのリソースが直交するように設定するステップを含む
ことを特徴とする請求項１乃至４のいずれか１項に記載のリソース割り当て方法。
【請求項６】
前記第１の機器が、前記第２の機器が送信した第１のリソース指示情報を受信する前に、
前記第１の機器が前記第２の機器にリソース要求メッセージを送信するステップをさらに含み、
前記リソース要求メッセージは、前記少なくとも１つの第１の領域が占有するリソースを要求するために使用され、
ここで、前記第１の機器が、前記第２の機器が送信した第１のリソース指示情報を受信するステップは、
前記第１の機器が、前記第２の機器が前記リソース要求メッセージに基づいて送信した前記第１のリソース指示情報を受信するステップを含む
ことを特徴とする請求項１乃至５のいずれか１項に記載のリソース割り当て方法。
【請求項７】
前記リソース要求メッセージには、前記第１のリソース指示情報の送信方式が含まれ、前記送信方式は、周期的送信方式又は非周期的送信方式を含む
ことを特徴とする請求項６に記載のリソース割り当て方法。
【請求項８】
前記第１の機器は車両インターネットにおける機器であり、及び／又は、前記第２の機器は車両インターネットにおける機器である
ことを特徴とする請求項１乃至７のいずれか１項に記載のリソース割り当て方法。
【請求項９】
第１の機器が第１のリソース指示情報に基づいて前記第１の機器がカバーする少なくとも１つの第２の領域のリソースを設定するように、第２の機器が前記第１の機器に前記第１のリソース指示情報を送信するステップを含み、
前記第１のリソース指示情報は、前記第２の機器がカバーする少なくとも１つの第１の領域が占有するリソースを指示するためのものである
ことを特徴とするリソース割り当て方法。
【請求項１０】
前記少なくとも１つの第１の領域と前記少なくとも１つの第２の領域とは隣接している  ことを特徴とする請求項９に記載のリソース割り当て方法。
【請求項１１】
前記第２の機器が第１の機器に第１のリソース指示情報を送信した後、
前記第２の機器が、前記第１の機器が送信した第２のリソース指示情報を受信するステップをさらに含み、
前記第２のリソース指示情報は、前記少なくとも１つの第２の領域が占有するリソースを指示するためのものである
ことを特徴とする請求項９又は１０に記載のリソース割り当て方法。
【請求項１２】
前記第２の機器が第１の機器に第１のリソース指示情報を送信する前に、
前記第２の機器が、前記第１の機器が送信したリソース要求メッセージを受信するステップをさらに含み、
前記リソース要求メッセージは、前記少なくとも１つの第１の領域が占有するリソースを要求するために使用され、
ここで、前記第２の機器が第１の機器に第１のリソース指示情報を送信するステップは、
前記第２の機器が前記リソース要求メッセージに基づいて前記第１の機器に前記第１のリソース指示情報を送信するステップを含む
ことを特徴とする請求項９乃至１１のいずれか１項に記載のリソース割り当て方法。
【請求項１３】
前記リソース要求メッセージには、前記第１のリソース指示情報の送信方式が含まれ、前記送信方式は、周期的送信方式又は非周期的送信方式を含む
ことを特徴とする請求項１２に記載のリソース割り当て方法。
【請求項１４】
前記第１の機器は車両インターネットにおける機器であり、及び／又は、前記第２の機器は車両インターネットにおける機器である
ことを特徴とする請求項９乃至１３のいずれか１項に記載のリソース割り当て方法。
【請求項１５】
リソース割り当て装置であって、
プロセッサーと、
前記プロセッサーによって実行可能な命令を記憶するためのメモリとを備え、
前記プロセッサーは、前記命令を実行することによって、請求項１乃至８のいずれか１項に記載のリソース割り当て方法、または９乃至１３のいずれか１項に記載のリソース割り当て方法を実現する
ことを特徴とするリソース割り当て装置。
【国際調査報告】
2019530994.tif 000011
2019530994.tif 000012
2019530994.tif 000013
2019530994.tif 000014